(57)【要約】  一つの実施形態に係る無線端末は、ＷＷＡＮ対応基地局とのＷＷＡＮ通信を行う第１のエンティティと、前記第１のエンティティよりも上位層に位置付けられる第２のエンティティと、を含む制御部を備える。自無線端末のデータについて通信対象ネットワークをＷＷＡＮとＷＬＡＮとの間で切り替えるための切り替え指示を前記ＷＷＡＮ対応基地局から自無線端末が受信した場合、前記第１のエンティティは、前記通信対象ネットワークの切り替えを示すインジケータを前記第２のエンティティに通知する。
2017018537.tif 000002
【特許請求の範囲】
【請求項１】
無線広域ネットワーク（ＷＷＡＮ）対応基地局とのＷＷＡＮ通信を行う第１のエンティティと、前記第１のエンティティよりも上位層に位置付けられる第２のエンティティと、を含む制御部を備え、
自無線端末のデータ通信に用いる通信対象ネットワークをＷＷＡＮと無線狭域ネットワーク（ＷＬＡＮ）との間で切り替えるための切り替え指示を前記ＷＷＡＮ対応基地局から自無線端末が受信した場合、前記第１のエンティティは、前記通信対象ネットワークの切り替えを示すインジケータを前記第２のエンティティに通知することを特徴とする無線端末。
【請求項２】
前記ＷＷＡＮ及び前記ＷＬＡＮの中から前記通信対象ネットワークを選択するネットワーク選択を前記第１のエンティティが行う端末主導方式、及び前記ネットワーク選択を前記ＷＷＡＮ対応基地局が行う基地局主導方式が規定され、
前記切り替え指示を前記ＷＷＡＮ対応基地局から前記無線端末が受信した場合、前記第１のエンティティは、前記基地局主導方式が適用されていることを識別可能な前記インジケータを前記第２のエンティティに通知することを特徴とする請求項１に記載の無線端末。
【請求項３】
前記基地局主導方式が適用されていることを識別可能な前記インジケータは、前記基地局主導方式に専用のインジケータであることを特徴とする請求項２に記載の無線端末。
【請求項４】
前記基地局主導方式が適用されていることを識別可能な前記インジケータは、前記端末主導方式におけるインジケータに前記基地局主導方式を示す情報が付加されたものであることを特徴とする請求項２に記載の無線端末。
【請求項５】
前記切り替え指示が前記ＷＷＡＮから前記ＷＬＡＮへの切り替えを指示する場合、前記切り替え指示は、接続対象のＷＬＡＮに関する識別子を含み、
前記第１のエンティティは、前記インジケータを前記第２のエンティティに通知する際に、前記切り替え指示に含まれる前記接続対象のＷＬＡＮに関する識別子を前記第２のエンティティに通知することを特徴とする請求項１に記載の無線端末。
【請求項６】
前記切り替え指示は、切り替え対象のベアラの識別子を含むことを特徴とする請求項１に記載の無線端末。
【請求項７】
前記第１のエンティティは、前記インジケータを前記第２のエンティティに通知する際に、前記切り替え指示に含まれる前記ベアラの識別子を前記第２のエンティティに通知することを特徴とする請求項６に記載の無線端末。
【請求項８】
前記第１のエンティティは、前記第２のエンティティが切り替えを行うベアラの識別子、前記第２のエンティティが切り替えを行わないベアラの識別子、のうち少なくとも一方を前記第２のエンティティから取得することを特徴とする請求項６に記載の無線端末。
【請求項９】
前記第１のエンティティは、前記第２のエンティティが切り替えを行うベアラの識別子、前記第２のエンティティが切り替えを行わないベアラの識別子、のうち少なくとも一方を前記ＷＷＡＮ対応基地局に送信することを特徴とする請求項８に記載の無線端末。
【請求項１０】
前記切り替え指示の受信に応じて前記無線端末が前記ＷＬＡＮに接続した場合、前記第１のエンティティは、前記ＷＬＡＮに接続したことを示す報告を前記ＷＷＡＮ対応基地局に送信することを特徴とする請求項１に記載の無線端末。
【請求項１１】
前記切り替え指示を受信しても前記切り替え指示に従わない場合、前記第１のエンティティは、前記切り替え指示に従わない理由を示す情報を前記ＷＷＡＮ対応基地局に送信することを特徴とする請求項１に記載の無線端末。
【請求項１２】
無線端末とのＷＷＡＮ通信を行うＷＷＡＮ対応基地局であって、
前記無線端末のデータ通信に用いる通信対象ネットワークとしてＷＷＡＮ又はＷＬＡＮを選択するネットワーク選択を行い、前記ネットワーク選択の結果に基づいて、前記通信対象ネットワークを前記ＷＷＡＮと前記ＷＬＡＮとの間で切り替えるための切り替え指示を前記無線端末に送信する制御部を備え、
前記制御部は、前記無線端末とは異なる特定装置から取得した所定情報に基づいて前記ネットワーク選択を行うことを特徴とするＷＷＡＮ対応基地局。
【請求項１３】
前記特定装置は、前記ＷＷＡＮのコアネットワークに設けられるコアネットワーク装置であり、
前記所定情報は、前記データが、前記ＷＷＡＮから前記ＷＬＡＮに切り替え可能なベアラに属するデータであるか否かを示すベアラ情報であることを特徴とする請求項１２に記載のＷＷＡＮ対応基地局。
【請求項１４】
前記制御部は、前記ベアラの確立時又は前記ベアラの変更時に、前記ベアラ情報を前記コアネットワーク装置から取得することを特徴とする請求項１３に記載のＷＷＡＮ対応基地局。
【請求項１５】
前記特定装置は、前記ＷＬＡＮに設けられるＷＬＡＮ装置であり、
前記所定情報は、ＷＬＡＮ対応アクセスポイントに関する位置情報、ＷＬＡＮ対応アクセスポイントに関する負荷情報、ＷＬＡＮ対応アクセスポイントに関する性能情報、のうち少なくとも１つであることを特徴とする請求項１２に記載のＷＷＡＮ対応基地局。
【請求項１６】
前記制御部は、前記ＷＷＡＮと前記ＷＬＡＮとの間で切り替えられるベアラに関する情報を、前記ＷＷＡＮのコアネットワークに設けられるコアネットワーク装置から取得し、
前記コアネットワーク装置から取得した情報には、前記ＷＷＡＮと前記ＷＬＡＮとの間の切り替えを示す情報が含まれることを特徴とする請求項１２に記載のＷＷＡＮ対応基地局。
【請求項１７】
Ｘｗインターフェイスを介して、ＷＬＡＮに設けられ、Ｘｗインターフェイスを終端するＷＬＡＮ  Ｔｅｒｍｉｎａｔｉｏｎ装置と接続されるＷＷＡＮ対応基地局であって、
ＷＬＡＮアクセスポイントの負荷に関する情報の送信を要求する要求メッセージを前記Ｘｗインターフェイス上で前記ＷＬＡＮ  Ｔｅｒｍｉｎａｔｉｏｎ装置に送信する処理と、前記ＷＬＡＮ  Ｔｅｒｍｉｎａｔｉｏｎ装置から送信された前記情報を前記Ｘｗインターフェイス上で受信する処理と、を行う制御部を備えるＷＷＡＮ対応基地局。
【請求項１８】
無線狭域ネットワーク（ＷＬＡＮ）に対する測定に関するＷＬＡＮ測定報告を設定するためのＷＬＡＮ測定設定を無線広域ネットワーク（ＷＷＡＮ）対応基地局から受信する処理を行う制御部を備え、
前記ＷＬＡＮ測定設定は、前記ＷＬＡＮ測定報告の用途に関する情報を含む無線端末。
【請求項１９】
前記用途は、前記無線端末のデータの通信に用いられるネットワークをＷＷＡＮから前記ＷＬＡＮへ切り替える特定の用途を含む請求項１８に記載の無線端末。
【請求項２０】
前記制御部は、前記ＷＷＡＮ対応基地局との通信を行う第１のエンティティと、前記第１のエンティティよりも上位層に位置付けられる第２のエンティティと、を含み、
前記第１のエンティティは、前記用途に関する情報が前記特定の用途を示す場合、前記ＷＷＡＮから前記ＷＬＡＮへ切り替え可能なデータの有無について前記第２のエンティティに問い合わせる請求項１９に記載の無線端末。
【請求項２１】
前記第１のエンティティは、前記第２のエンティティに対する問い合わせの結果を前記ＷＷＡＮ対応基地局に通知する請求項２０に記載の無線端末。
【請求項２２】
前記第１のエンティティは、前記用途に関する情報が前記特定の用途を示し、かつ前記ＷＬＡＮに対する測定結果が前記ＷＬＡＮ測定報告の送信条件を満たした場合、前記ＷＷＡＮから前記ＷＬＡＮへ切り替え可能なデータの有無について前記第２のエンティティに問い合わせる請求項１９に記載の無線端末。
【請求項２３】
前記第１のエンティティは、
前記第２のエンティティに対する問い合わせの結果が、前記ＷＷＡＮから前記ＷＬＡＮへ切り替え可能なデータが有ることを示す場合、前記ＷＬＡＮ測定報告を前記ＷＷＡＮ対応基地局に送信し、
前記第２のエンティティに対する問い合わせの結果が、前記ＷＷＡＮから前記ＷＬＡＮへ切り替え可能なデータが無いことを示す場合、前記ＷＬＡＮ測定報告の送信を中止する請求項２２に記載の無線端末。
【請求項２４】
前記制御部は、前記ＷＷＡＮ対応基地局との通信を行う第１のエンティティと、前記第１のエンティティよりも上位層に位置付けられる第２のエンティティと、を含み、
前記第１のエンティティは、前記用途に関する情報に基づいて、自無線端末のユーザのプリファレンス情報について前記第２のエンティティに問い合わせる請求項１８に記載の無線端末。
【請求項２５】
前記プリファレンス情報は、自無線端末のＷＬＡＮ通信機能のオン・オフ設定、及び前記ＷＬＡＮ測定報告の特定の用途に対する前記ユーザの興味のうち、少なくとも１つを含む請求項２４に記載の無線端末。
【請求項２６】
無線狭域ネットワーク（ＷＬＡＮ）に対する測定に関するＷＬＡＮ測定報告を設定するためのＷＬＡＮ測定設定を無線端末に送信する処理を行う制御部を備え、
前記ＷＬＡＮ測定設定は、前記ＷＬＡＮ測定報告の用途に関する情報を含む無線広域ネットワーク（ＷＷＡＮ）対応基地局。
【請求項２７】
無線広域ネットワーク（ＷＷＡＮ）から設定される情報に基づいて、前記ＷＷＡＮと無線狭域ネットワーク（ＷＬＡＮ）との間でデータを切り替える機能を有する制御部を備え、
前記制御部は、前記ＷＬＡＮとの接続状態に関する通知を前記ＷＷＡＮに送信し、
前記通知は、前記ＷＷＡＮから前記ＷＬＡＮに切り替え可能なデータを自無線端末が有するか否かを示すデータ関連情報、及び、自無線端末が接続済みのＷＬＡＮを示すＷＬＡＮ関連識別子のうち、少なくとも１つを含む無線端末。
【請求項２８】
前記制御部は、前記ＷＷＡＮから前記ＷＬＡＮに対して所定単位でデータを切り替え、
前記データ関連情報は、前記ＷＷＡＮから前記ＷＬＡＮに切り替え可能な前記所定単位の数又は識別子を含む請求項２７に記載の無線端末。
【請求項２９】
前記制御部は、自無線端末が前記ＷＬＡＮに接続済みである場合に限り、前記ＷＬＡＮ関連識別子を前記通知に含める請求項２７に記載の無線端末。
【請求項３０】
前記ＷＬＡＮ関連識別子は、前記ＷＷＡＮから提供される補助パラメータに基づき自無線端末の判断で接続したＷＬＡＮ、ユーザのマニュアル操作で接続したＷＬＡＮ、自無線端末のアイドルモード中に接続したＷＬＡＮのうち、少なくとも１つを示す請求項２７に記載の無線端末。
【請求項３１】
前記制御部は、ＷＬＡＮ測定結果を含む測定報告を前記ＷＷＡＮに送信し、
前記制御部は、前記通知を前記測定報告に含める請求項２７に記載の無線端末。
【請求項３２】
前記制御部は、所定の条件が満たされたことに応じて、前記通知を前記ＷＷＡＮに送信し、
前記所定の条件は、自無線端末がデータ通信中であるという条件、自無線端末がアイドルモードからコネクティッドモードに遷移したという条件、前記ＷＷＡＮから自無線端末にＷＬＡＮ測定が設定されているという条件、前記通知の送信を禁止するタイマが動作していないという条件、前記ＷＷＡＮが前記通知の送信を許可したという条件のうち、少なくとも１つを含む請求項２７に記載の無線端末。
【請求項３３】
前記ＷＬＡＮとの通信を行うためのＷＬＡＮ通信部を備え、
前記制御部は、前記ＷＬＡＮ通信部が占有状態である場合、ＷＬＡＮ測定結果を含む測定報告を前記ＷＷＡＮに送信しない制御を行い、
前記占有状態は、前記ＷＬＡＮ通信部を前記機能に使用不能な状態を示す請求項２７に記載の無線端末。
【請求項３４】
前記ＷＬＡＮとの通信を行うためのＷＬＡＮ通信部を備え、
前記制御部は、前記ＷＷＡＮから自無線端末に設定されたＷＬＡＮ測定設定に基づいて、ＷＬＡＮ測定結果を含む測定報告を前記ＷＷＡＮに送信し、
前記ＷＬＡＮ測定設定は、前記測定報告を送信する条件として、前記ＷＬＡＮ通信部の状態を指定する情報を含む請求項２７に記載の無線端末。
【請求項３５】
無線広域ネットワーク（ＷＷＡＮ）と無線狭域ネットワーク（ＷＬＡＮ）との間でデータを切り替える機能を有する無線端末から通知を受信し、前記通知に基づいて前記機能のための情報を前記無線端末に設定する制御部を備え、
前記通知は、前記ＷＷＡＮから前記ＷＬＡＮに切り替え可能なデータを前記無線端末が有するか否かを示すデータ関連情報、及び、前記無線端末が接続済みのＷＬＡＮを示すＷＬＡＮ関連識別子のうち、少なくとも１つを含むＷＷＡＮ対応基地局。
【請求項３６】
無線広域ネットワーク（ＷＷＡＮ）から設定される情報に基づいて、前記ＷＷＡＮと無線狭域ネットワーク（ＷＬＡＮ）との間でデータを切り替える機能を有する制御部を備え、
前記制御部は、ＷＬＡＮ測定結果を含む測定報告を前記ＷＷＡＮに送信し、
前記制御部は、前記ＷＬＡＮとの接続状態に関する通知を前記測定報告に含めて前記ＷＷＡＮに送信する無線端末。
【発明の詳細な説明】
【技術分野】
【０００１】
本発明は、ＷLＡＮをＷＷＡＮと連携させるシステムにおける無線端末及びＷＷＡＮ対応基地局に関する。
【背景技術】
【０００２】
近年、無線広域ネットワーク（ＷＷＡＮ）通信及び無線狭域ネットワーク（ＷLＡＮ）通信の両通信方式に対応した無線端末の普及が進んでいる。そのような無線端末に対して高速・大容量の通信サービスを提供するために、ＷＷＡＮとＷLＡＮとの間の連携を強化させるための技術が検討されている。
【発明の概要】
【０００３】
一つの実施形態に係る無線端末は、ＷＷＡＮ対応基地局とのＷＷＡＮ通信を行う第１のエンティティと、前記第１のエンティティよりも上位層に位置付けられる第２のエンティティと、を含む制御部を備える。自無線端末のデータ通信に用いる通信対象ネットワークをＷＷＡＮとＷＬＡＮとの間で切り替えるための切り替え指示を前記ＷＷＡＮ対応基地局から自無線端末が受信した場合、前記第１のエンティティは、前記通信対象ネットワークの切り替えを示すインジケータを前記第２のエンティティに通知する。
【０００４】
一つの実施形態に係るＷＷＡＮ対応基地局は、無線端末とのＷＷＡＮ通信を行う。前記ＷＷＡＮ対応基地局は、前記無線端末のデータ通信に用いる通信対象ネットワークとしてＷＷＡＮ又はＷＬＡＮを選択するネットワーク選択を行い、前記ネットワーク選択の結果に基づいて、前記通信対象ネットワークを前記ＷＷＡＮと前記ＷＬＡＮとの間で切り替えるための切り替え指示を前記無線端末に送信する制御部を備える。前記制御部は、前記無線端末とは異なる特定装置から取得した所定情報に基づいて前記ネットワーク選択を行う。
【０００５】
一つの実施形態に係るＷＷＡＮ対応基地局は、Ｘｗインターフェイスを介して、ＷＬＡＮに設けられるＷＬＡＮ  Ｔｅｒｍｉｎａｔｉｏｎ装置と接続される。前記ＷＷＡＮ対応基地局は、ＷＬＡＮ負荷情報の送信を要求する要求メッセージを前記Ｘｗインターフェイス上で前記ＷＬＡＮ  Ｔｅｒｍｉｎａｔｉｏｎ装置に送信する処理と、前記ＷＬＡＮ  Ｔｅｒｍｉｎａｔｉｏｎ装置から送信された前記ＷＬＡＮ負荷情報を前記Ｘｗインターフェイス上で受信する処理と、を行う制御部を備える。
【０００６】
一つの実施形態に係る無線端末は、無線狭域ネットワーク（ＷＬＡＮ）に対する測定に関するＷＬＡＮ測定報告を設定するためのＷＬＡＮ測定設定を無線広域ネットワーク（ＷＷＡＮ）対応基地局から受信する処理を行う制御部を備える。前記ＷＬＡＮ測定設定は、前記ＷＬＡＮ測定報告の用途に関する情報を含む。
【０００７】
一つの実施形態に係る無線端末は、ＷＷＡＮから設定される情報に基づいて、前記ＷＷＡＮとＷＬＡＮとの間でデータを切り替える機能を有する制御部を備える。前記制御部は、前記ＷＬＡＮとの接続状態に関する通知を前記ＷＷＡＮに送信する。前記通知は、前記ＷＷＡＮから前記ＷＬＡＮに切り替え可能なデータを自無線端末が有するか否かを示すデータ関連情報、及び、自無線端末が接続済みのＷＬＡＮを示すＷＬＡＮ関連識別子のうち、少なくとも１つを含む。
【０００８】
一つの実施形態に係るＷＷＡＮ対応基地局は、ＷＷＡＮとＷＬＡＮとの間でデータを切り替える機能を有する無線端末から通知を受信し、前記通知に基づいて前記機能のための情報を前記無線端末に設定する制御部を備える。前記通知は、前記ＷＷＡＮから前記ＷＬＡＮに切り替え可能なデータを前記無線端末が有するか否かを示すデータ関連情報、及び、前記無線端末が接続済みのＷＬＡＮを示すＷＬＡＮ関連識別子のうち、少なくとも１つを含む。
【０００９】
一つの実施形態に係る無線端末は、無線広域ネットワーク（ＷＷＡＮ）から設定される情報に基づいて、前記ＷＷＡＮと無線狭域ネットワーク（ＷＬＡＮ）との間でデータを切り替える機能を有する制御部を備える。前記制御部は、ＷＬＡＮ測定結果を含む測定報告を前記ＷＷＡＮに送信する。前記制御部は、前記ＷＬＡＮとの接続状態に関する通知を前記測定報告に含めて前記ＷＷＡＮに送信する。
【図面の簡単な説明】
【００１０】
【図１】第１実施形態乃至第４実施形態に係る通信システムの構成を示す図である。
【図２】ＬＴＥシステムにおける無線インターフェイスのプロトコルスタック図である。
【図３】ＵＥ（無線端末）のブロック図である。
【図４】ｅＮＢ（ＷＷＡＮ対応基地局）のブロック図である。
【図５】端末主導方式を説明するための図である。
【図６】第１実施形態に係る基地局主導方式の動作パターン１Ａを示すシーケンス図である。
【図７】第１実施形態に係るＷＬＡＮ測定設定の構成を示す図である。
【図８】第１実施形態に係る基地局主導方式の動作パターン１ＡにおけるＷＬＡＮ測定設定の具体例を示す図である。
【図９】第１実施形態に係る基地局主導方式の動作パターン１Ｂを示すシーケンス図である。
【図１０】第１実施形態に係る基地局主導方式の動作パターン２Ａを示すシーケンス図である。
【図１１】第１実施形態に係る基地局主導方式の動作パターン２Ｂを示すシーケンス図である。
【図１２】第１実施形態に係る切り替え指示を受信したＵＥの動作を示すシーケンス図である。
【図１３】第２実施形態の動作パターン１の一例を示すシーケンス図である。
【図１４】第２実施形態の動作パターン１の他の例を示すシーケンス図である。
【図１５】第２実施形態の動作パターン２の一例を示すシーケンス図である。
【図１６】「ＷＬＡＮ／３ＧＰＰ  ｉｎｔｅｒｗｏｒｋｉｎｇ  ｅｎｈａｎｃｅｍｅｎｔ」を説明するための図である。
【図１７】「ＬＴＥ−ＷＬＡＮ  ａｇｇｒｅｇａｔｉｏｎ」を説明するための図である。
【図１８】第３実施形態の動作パターン１を示すシーケンス図である。
【図１９】第３実施形態の動作パターン２を示すシーケンス図である。
【図２０】第４実施形態に係る想定シナリオを示す図である。
【図２１】第４実施形態に係る動作シーケンスを示す図である。
【図２２】実施形態の付記に係る図である。
【発明を実施するための形態】
【００１１】
［実施形態の概要］
実施形態に係る無線端末は、ＷＷＡＮ対応基地局とのＷＷＡＮ通信を行う第１のエンティティと、前記第１のエンティティよりも上位層に位置付けられる第２のエンティティと、を含む制御部を備える。自無線端末のデータ通信に用いる通信対象ネットワークをＷＷＡＮとＷＬＡＮとの間で切り替えるための切り替え指示を前記ＷＷＡＮ対応基地局から自無線端末が受信した場合、前記第１のエンティティは、前記通信対象ネットワークの切り替えを示すインジケータを前記第２のエンティティに通知する。
【００１２】
実施形態において、前記ＷＷＡＮ及び前記ＷＬＡＮの中から前記通信対象ネットワークを選択するネットワーク選択を前記第１のエンティティが行う端末主導方式、及び前記ネットワーク選択を前記ＷＷＡＮ対応基地局が行う基地局主導方式が規定される。前記切り替え指示を前記ＷＷＡＮ対応基地局から前記無線端末が受信した場合、前記第１のエンティティは、前記基地局主導方式が適用されていることを識別可能な前記インジケータを前記第２のエンティティに通知する。
【００１３】
実施形態において、前記基地局主導方式が適用されていることを識別可能な前記インジケータは、前記基地局主導方式に専用のインジケータである。
【００１４】
実施形態において、前記基地局主導方式が適用されていることを識別可能な前記インジケータは、前記端末主導方式におけるインジケータに前記基地局主導方式を示す情報が付加されたものである。
【００１５】
実施形態において、前記切り替え指示が前記ＷＷＡＮから前記ＷＬＡＮへの切り替えを指示する場合、前記切り替え指示は、接続対象のＷＬＡＮに関する識別子を含む。前記第１のエンティティは、前記インジケータを前記第２のエンティティに通知する際に、前記切り替え指示に含まれる前記接続対象のＷＬＡＮに関する識別子を前記第２のエンティティに通知する。
【００１６】
実施形態において、前記切り替え指示は、切り替え対象のベアラの識別子を含む。
【００１７】
実施形態において、前記第１のエンティティは、前記インジケータを前記第２のエンティティに通知する際に、前記切り替え指示に含まれる前記ベアラの識別子を前記第２のエンティティに通知する。
【００１８】
実施形態において、前記第１のエンティティは、前記第２のエンティティが切り替えを行うベアラの識別子、前記第２のエンティティが切り替えを行わないベアラの識別子、のうち少なくとも一方を前記第２のエンティティから取得する。
【００１９】
実施形態において、前記第１のエンティティは、前記第２のエンティティが切り替えを行うベアラの識別子、前記第２のエンティティが切り替えを行わないベアラの識別子、のうち少なくとも一方を前記ＷＷＡＮ対応基地局に送信する。
【００２０】
実施形態において、前記切り替え指示の受信に応じて前記無線端末が前記ＷＬＡＮに接続した場合、前記第１のエンティティは、前記ＷＬＡＮに接続したことを示す報告を前記ＷＷＡＮ対応基地局に送信する。
【００２１】
実施形態において、前記切り替え指示を受信しても前記切り替え指示に従わない場合、前記第１のエンティティは、前記切り替え指示に従わない理由を示す情報を前記ＷＷＡＮ対応基地局に送信する。
【００２２】
実施形態に係るＷＷＡＮ対応基地局は、無線端末とのＷＷＡＮ通信を行う。前記ＷＷＡＮ対応基地局は、前記無線端末のデータ通信に用いる通信対象ネットワークとしてＷＷＡＮ又はＷＬＡＮを選択するネットワーク選択を行い、前記ネットワーク選択の結果に基づいて、前記通信対象ネットワークを前記ＷＷＡＮと前記ＷＬＡＮとの間で切り替えるための切り替え指示を前記無線端末に送信する制御部を備える。前記制御部は、前記無線端末とは異なる特定装置から取得した所定情報に基づいて前記ネットワーク選択を行う。
【００２３】
実施形態において、前記特定装置は、前記ＷＷＡＮのコアネットワークに設けられるコアネットワーク装置である。前記所定情報は、前記データが、前記ＷＷＡＮから前記ＷＬＡＮに切り替え可能なベアラに属するデータであるか否かを示すベアラ情報である。
【００２４】
実施形態において、前記制御部は、前記ベアラの確立時又は前記ベアラの変更時に、前記ベアラ情報を前記コアネットワーク装置から取得する。
【００２５】
実施形態において、前記特定装置は、前記ＷＬＡＮに設けられるＷＬＡＮ装置である。前記所定情報は、ＷＬＡＮ対応アクセスポイントに関する位置情報、ＷＬＡＮ対応アクセスポイントに関する負荷情報、ＷＬＡＮ対応アクセスポイントに関する性能情報、のうち少なくとも１つである。
【００２６】
実施形態において、前記制御部は、前記ＷＷＡＮと前記ＷＬＡＮとの間で切り替えられるベアラに関する情報を、前記ＷＷＡＮのコアネットワークに設けられるコアネットワーク装置から取得する。前記コアネットワーク装置から取得した情報には、前記ＷＷＡＮと前記ＷＬＡＮとの間の切り替えを示す情報が含まれる。
【００２７】
実施形態に係る無線端末は、無線狭域ネットワーク（ＷＬＡＮ）に対する測定に関するＷＬＡＮ測定報告を設定するためのＷＬＡＮ測定設定を無線広域ネットワーク（ＷＷＡＮ）対応基地局から受信する処理を行う制御部を備える。前記ＷＬＡＮ測定設定は、前記ＷＬＡＮ測定報告の用途に関する情報を含む。
【００２８】
前記用途は、前記無線端末のデータの通信に用いられるネットワークをＷＷＡＮから前記ＷＬＡＮへ切り替える特定の用途を含んでもよい。
【００２９】
前記制御部は、前記ＷＷＡＮ対応基地局との通信を行う第１のエンティティと、前記第１のエンティティよりも上位層に位置付けられる第２のエンティティと、を含み、前記第１のエンティティは、前記用途に関する情報が前記特定の用途を示す場合、前記ＷＷＡＮから前記ＷＬＡＮへ切り替え可能なデータの有無について前記第２のエンティティに問い合わせてもよい。
【００３０】
前記第１のエンティティは、前記第２のエンティティに対する問い合わせの結果を前記ＷＷＡＮ対応基地局に通知してもよい。
【００３１】
前記第１のエンティティは、前記用途に関する情報が前記特定の用途を示し、かつ前記ＷＬＡＮに対する測定結果が前記ＷＬＡＮ測定報告の送信条件を満たした場合、前記ＷＷＡＮから前記ＷＬＡＮへ切り替え可能なデータの有無について前記第２のエンティティに問い合わせてもよい。
【００３２】
前記第１のエンティティは、前記第２のエンティティに対する問い合わせの結果が、前記ＷＷＡＮから前記ＷＬＡＮへ切り替え可能なデータが有ることを示す場合、前記ＷＬＡＮ測定報告を前記ＷＷＡＮ対応基地局に送信し、前記第２のエンティティに対する問い合わせの結果が、前記ＷＷＡＮから前記ＷＬＡＮへ切り替え可能なデータが無いことを示す場合、前記ＷＬＡＮ測定報告の送信を中止してもよい。
【００３３】
前記制御部は、前記ＷＷＡＮ対応基地局との通信を行う第１のエンティティと、前記第１のエンティティよりも上位層に位置付けられる第２のエンティティと、を含み、前記第１のエンティティは、前記用途に関する情報に基づいて、自無線端末のユーザのプリファレンス情報について前記第２のエンティティに問い合わせてもよい。
【００３４】
前記プリファレンス情報は、自無線端末のＷＬＡＮ通信機能のオン・オフ設定、及び前記ＷＬＡＮ測定報告の特定の用途に対する前記ユーザの興味のうち、少なくとも１つを含んでもよい。
【００３５】
実施形態に係る無線広域ネットワーク（ＷＷＡＮ）対応基地局は、無線狭域ネットワーク（ＷＬＡＮ）に対する測定に関するＷＬＡＮ測定報告を設定するためのＷＬＡＮ測定設定を無線端末に送信する処理を行う制御部を備える。前記ＷＬＡＮ測定設定は、前記ＷＬＡＮ測定報告の用途に関する情報を含む。
【００３６】
実施形態に係る無線端末は、ＷＷＡＮから設定される情報に基づいて、前記ＷＷＡＮとＷＬＡＮとの間でデータを切り替える機能を有する制御部を備える。前記制御部は、前記ＷＬＡＮとの接続状態に関する通知を前記ＷＷＡＮに送信する。前記通知は、前記ＷＷＡＮから前記ＷＬＡＮに切り替え可能なデータを自無線端末が有するか否かを示すデータ関連情報、及び、自無線端末が接続済みのＷＬＡＮを示すＷＬＡＮ関連識別子のうち、少なくとも１つを含む。
【００３７】
実施形態において、前記制御部は、前記ＷＷＡＮから前記ＷＬＡＮに対して所定単位でデータを切り替える。前記データ関連情報は、前記ＷＷＡＮから前記ＷＬＡＮに切り替え可能な前記所定単位の数又は識別子を含む。
【００３８】
実施形態において、前記制御部は、自無線端末が前記ＷＬＡＮに接続済みである場合に限り、前記ＷＬＡＮ関連識別子を前記通知に含める。
【００３９】
実施形態において、前記ＷＬＡＮ関連識別子は、前記ＷＷＡＮから提供される補助パラメータに基づき自無線端末の判断で接続したＷＬＡＮ、ユーザのマニュアル操作で接続したＷＬＡＮ、自無線端末のアイドルモード中に接続したＷＬＡＮのうち、少なくとも１つを示す。
【００４０】
実施形態において、前記制御部は、ＷＬＡＮ測定結果を含む測定報告を前記ＷＷＡＮに送信する。前記制御部は、前記通知を前記測定報告に含める。
【００４１】
実施形態において、前記制御部は、所定の条件が満たされたことに応じて、前記通知を前記ＷＷＡＮに送信する。前記所定の条件は、自無線端末がデータ通信中であるという条件、自無線端末がアイドルモードからコネクティッドモードに遷移したという条件、前記ＷＷＡＮから自無線端末にＷＬＡＮ測定が設定されているという条件、前記通知の送信を禁止するタイマが動作していないという条件、前記ＷＷＡＮが前記通知の送信を許可したという条件のうち、少なくとも１つを含む。
【００４２】
実施形態において、前記無線端末は、前記ＷＬＡＮとの通信を行うためのＷＬＡＮ通信部を備える。前記制御部は、前記ＷＬＡＮ通信部が占有状態である場合、ＷＬＡＮ測定結果を含む測定報告を前記ＷＷＡＮに送信しない制御を行う。前記占有状態は、前記ＷＬＡＮ通信部を前記機能に使用不能な状態を示す。
【００４３】
実施形態において、前記無線端末は、前記ＷＬＡＮとの通信を行うためのＷＬＡＮ通信部を備える。前記制御部は、前記ＷＷＡＮから自無線端末に設定されたＷＬＡＮ測定設定に基づいて、ＷＬＡＮ測定結果を含む測定報告を前記ＷＷＡＮに送信する。前記ＷＬＡＮ測定設定は、前記測定報告を送信する条件として、前記ＷＬＡＮ通信部の状態を指定する情報を含む。
【００４４】
実施形態に係るＷＷＡＮ対応基地局は、ＷＷＡＮとＷＬＡＮとの間でデータを切り替える機能を有する無線端末から通知を受信し、前記通知に基づいて前記機能のための情報を前記無線端末に設定する制御部を備える。前記通知は、前記ＷＷＡＮから前記ＷＬＡＮに切り替え可能なデータを前記無線端末が有するか否かを示すデータ関連情報、及び、前記無線端末が接続済みのＷＬＡＮを示すＷＬＡＮ関連識別子のうち、少なくとも１つを含む。
【００４５】
［第１実施形態］
以下において、第１実施形態について説明する。
【００４６】
第１実施形態において、ＷＷＡＮシステムがＬＴＥ（Ｌｏｎｇ  Ｔｅｒｍ  Ｅｖｏｌｕｔｉｏｎ）システムである一例を説明する。ＬＴＥシステムは、標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において仕様が策定されているシステムである。
【００４７】
（システム構成）
図１は、第１実施形態に係る通信システムの構成を示す図である。
【００４８】
図１に示すように、第１実施形態に係る通信システムは、ＵＥ（Ｕｓｅｒ  Ｅｑｕｉｐｍｅｎｔ）１００、ｅＮＢ（ｅｖｏｌｖｅｄ  Ｎｏｄｅ−Ｂ）２００、ＷＬＡＮ対応アクセスポイント（ＷＬＡＮ  ＡＰ）３００、ＷＴ（ＷＬＡＮ  Ｔｅｒｍｉｎａｔｉｏｎ）４００、及びＥＰＣ（Ｅｖｏｌｖｅｄ  Ｐａｃｋｅｔ  Ｃｏｒｅ）５００を備える。ＵＥ１００は、無線端末に相当する。ｅＮＢ２００は、ＷＷＡＮ対応基地局に相当する。ｅＮＢ２００及びＥＰＣ５００は、ＷＷＡＮ（ＬＴＥネットワーク）を構成する。ＷＬＡＮ  ＡＰ３００及びＷＴ４００は、ＷＬＡＮを構成する。但し、通信システムは、ＷＴ４００を備えていなくてもよい。
【００４９】
ＵＥ１００は、ＷＷＡＮ通信（ＬＴＥ通信）及びＷLＡＮ通信の両通信方式に対応した移動型の装置である。ＵＥ１００は、ＷＷＡＮ・ＷＬＡＮ協調技術をサポートする。ＵＥ１００の構成については後述する。
【００５０】
ｅＮＢ２００は、１又は複数のセルを管理し、自セルに接続したＵＥ１００とのＬＴＥ通信を行う装置である。ＵＥ１００の構成については後述する。
【００５１】
ｅＮＢ２００は、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を構成する。ｅＮＢ２００は、Ｘ２インターフェイスを介して隣接ｅＮＢと接続される。ｅＮＢ２００は、無線リソース管理（ＲＲＭ）機能、ユーザデータ（以下、単に「データ」という）のルーティング機能、モビリティ制御・スケジューリングのための測定制御機能等を有する。ｅＮＢ２００の構成については後述する。なお、「セル」は、無線通信エリア（カバレッジ）の最小単位を示す用語として用いられる他に、ＵＥ１００との無線通信を行う機能を示す用語としても用いられる。
【００５２】
ＷＬＡＮ  ＡＰ３００は、自ＡＰに接続したＵＥ１００とのＷＬＡＮ通信を行う装置である。図１において、ｅＮＢ２００のセルカバレッジ内に４つのＷＬＡＮ  ＡＰ３００−１乃至３００−４が設けられる一例を示している。なお、ｅＮＢ２００がＷＬＡＮ  ＡＰの機能も有していてもよい。そのようなシナリオは、Ｃｏｌｌｏｃａｔｅｄシナリオと称される。
【００５３】
ＷＴ４００は、ｅＮＢ２００との直接的なインターフェイスであるＸｗインターフェイスを終端する装置である。ＷＴ４００は、複数のＷＬＡＮ  ＡＰ３００を収容する。図１において、ＷＴ４００−１が２つのＷＬＡＮ  ＡＰ３００−１及び３００−２を収容し、かつ、ＷＴ４００−２が２つのＷＬＡＮ  ＡＰ３００−３及び３００−４を収容する一例を示している。
【００５４】
また、第１実施形態において、ＷＬＡＮ  ＡＰ３００−１及び３００−２は、ＷＬＡＮ  ＡＰグループＡを構成する。ＷＬＡＮ  ＡＰ３００−３及び３００−４は、ＷＬＡＮ  ＡＰグループＢを構成する。図１において、ＷＬＡＮ  ＡＰグループが、同一のＷＴ４００に収容されるＷＬＡＮ  ＡＰ３００により構成される一例を示している。しかしながら、ＷＬＡＮ  ＡＰグループは、異なるＷＴ４００に収容されるＷＬＡＮ  ＡＰ３００により構成されてもよい。
【００５５】
ここで、ＷＬＡＮ  ＡＰグループとは、ｅＮＢ２００の指示に依存せずにＷＬＡＮ  ＡＰ３００間の切り替え制御をＵＥ１００が自律的に行うことができるグループである。ＷＬＡＮ  ＡＰグループは、「ＷＬＡＮモビリティセット」と称されてもよい。ＵＥ１００は、ＷＬＡＮモビリティ制御機能を用いて、ｅＮＢ２００に透過的に、同一のＷＬＡＮ  ＡＰグループ内の一のＷＬＡＮ  ＡＰから他のＷＬＡＮ  ＡＰへＷＬＡＮ通信を切り替えることができる。一方、異なるＷＬＡＮ  ＡＰグループ間の切り替えについてはｅＮＢ２００が制御する。
【００５６】
ＥＰＣ５００は、Ｓ１インターフェイスを介してｅＮＢ２００と接続される。ＥＰＣ５００は、コアネットワークに相当する。ＥＰＣ５００は、ＭＭＥ（Ｍｏｂｉｌｉｔｙ  Ｍａｎａｇｅｍｅｎｔ  Ｅｎｔｉｔｙ）及びＳ−ＧＷ（Ｓｅｒｖｉｎｇ−Ｇａｔｅｗａｙ）を含む。ＭＭＥは、ＵＥ１００に対する各種モビリティ制御等を行う。Ｓ−ＧＷは、データの転送制御を行う。
【００５７】
（ＬＴＥプロトコル）
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００５９】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００６０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００６１】
ＰＤＣＰ層は、ヘッダ圧縮・伸張、及び暗号化・復号化を行う。
【００６２】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００６３】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００６４】
物理層、ＭＡＣ層、ＲＬＣ層、ＰＤＣＰ層、及びＲＲＣ層は、ＡＳ（Ａｃｃｅｓｓ  Ｓｔｒａｔｕｍ）層を構成する。第１実施形態において、ＡＳ層は、ｅＮＢ２００（ＷＷＡＮ対応基地局）とのＬＴＥ通信（ＷＷＡＮ通信）を行う第１のエンティティに相当する。
【００６５】
（無線端末の構成）
図３は、ＵＥ１００（無線端末）のブロック図である。図３に示すように、ＵＥ１００は、ＬＴＥ通信部（ＷＷＡＮ通信部）１１０、ＷＬＡＮ通信部１２０、及び制御部１３０を備える。
【００６６】
ＬＴＥ通信部１１０は、制御部１３０の制御下でＬＴＥ通信を行う。ＬＴＥ通信部１１０は、ＬＴＥプロトコルの一部を実行してもよい。ＬＴＥ通信部１１０は、アンテナ、送信機、及び受信機を含む。送信機は、制御部１３０が出力するベースバンド信号（送信信号）をＬＴＥ無線信号に変換してアンテナから送信する。受信機は、アンテナが受信するＬＴＥ無線信号をベースバンド信号（受信信号）に変換して制御部１３０に出力する。なお、ＬＴＥ通信は、ライセンスバンドにおいて行われることが一般的である。
【００６７】
ＷＬＡＮ通信部１２０は、制御部１３０の制御下でＷＬＡＮ通信を行う。ＷＬＡＮ通信部１２０は、ＷＬＡＮプロトコルの一部を実行してもよい。ＷＬＡＮ通信部１２０は、アンテナ、送信機、及び受信機を含む。送信機は、制御部１３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部１３０に出力する。なお、ＷＬＡＮ通信は、アンライセンスバンドにおいて行われることが一般的である。
【００６８】
制御部１３０は、ＵＥ１００における各種の制御を行う。制御部１３０は、ＬＴＥプロトコルの一部を実行してもよいし、ＷＬＡＮプロトコルの一部を実行してもよい。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理を実行する。
【００６９】
（基地局の構成）
図４は、ｅＮＢ２００（基地局）のブロック図である。図４に示すように、ｅＮＢ２００は、ＬＴＥ通信部（ＷＷＡＮ通信部）２１０、制御部２３０、及びバックホール通信部２４０を備える。但し、Ｃｏｌｌｏｃａｔｅｄシナリオの場合、ｅＮＢ２００は、ＷＬＡＮ通信部２２０を備えていてもよい。
【００７０】
ＬＴＥ通信部２１０は、制御部２３０の制御下でＬＴＥ通信を行う。ＬＴＥ通信部２１０は、ＬＴＥプロトコルの一部を実行してもよい。ＬＴＥ通信部２１０は、アンテナ、送信機、及び受信機を含む。送信機は、制御部２３０が出力するベースバンド信号（送信信号）をＬＴＥ無線信号に変換してアンテナから送信する。受信機は、アンテナが受信するＬＴＥ無線信号をベースバンド信号（受信信号）に変換して制御部２３０に出力する。
【００７１】
ＷＬＡＮ通信部２２０は、制御部２３０の制御下でＷＬＡＮ通信を行う。ＷＬＡＮ通信部２２０は、ＷＬＡＮプロトコルの一部を実行してもよい。ＷＬＡＮ通信部２２０は、アンテナ、送信機、及び受信機を含む。送信機は、制御部２３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部２３０に出力する。
【００７２】
制御部２３０は、ｅＮＢ２００における各種の制御を行う。制御部２３０は、ＬＴＥプロトコルの一部を実行してもよいし、ＷＬＡＮプロトコルの一部を実行してもよい。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理を実行する。
【００７３】
バックホール通信部２４０は、Ｘ２インターフェイスを介して隣接ｅＮＢ２００と接続され、Ｓ１インターフェイスを介してＥＰＣ５００（ＭＭＥ／Ｓ−ＧＷ）と接続され、Ｘｗインターフェイスを介してＷＴ４００と接続される。バックホール通信部２４０は、Ｘ２インターフェイス上で行う通信、Ｓ１インターフェイス上で行う通信、Ｘｗインターフェイス上で行う通信等に用いられる。
【００７４】
（ネットワーク選択動作）
第１実施形態に係る通信システムは、ＵＥ１００のデータについてＷＷＡＮ（Ｅ−ＵＴＲＡＮ）及びＷＬＡＮの中から通信対象ネットワークを選択するネットワーク選択動作（Ａｃｃｅｓｓ  Ｎｅｔｗｏｒｋ  Ｓｅｌｅｃｔｉｏｎ）を行う。ネットワーク選択動作には、ＵＥ１００が通信対象ネットワークを選択する端末主導方式と、ｅＮＢ２００が通信対象ネットワークを選択する基地局主導方式と、がある。
【００７５】
端末主導方式は、３ＧＰＰ規格のリリース１２において導入されているため、リリース１２方式と称されてもよい。これに対し、基地局主導方式は、３ＧＰＰ規格のリリース１３において導入が予定されているため、リリース１３方式と称されてもよい。
【００７６】
（１）端末主導方式
端末主導方式において、ＲＲＣコネクティッド状態又はＲＲＣアイドル状態のＵＥ１００は、Ｅ−ＵＴＲＡＮ及びＷＬＡＮの中から通信対象ネットワークを選択し、Ｅ−ＵＴＲＡＮとＷＬＡＮとの間で双方向の切り替え（ｔｒａｆｆｉｃ  ｓｔｅｅｒｉｎｇ）を行う。当該切り替えは、Ｅ−ＵＴＲＡＮの補助により、ＵＥ主導（ＵＥ  ｂａｓｅｄ）で行われる。また、当該切り替えは、ＡＰＮ（Ａｃｃｅｓｓ  Ｐｏｉｎｔ  Ｎａｍｅ）単位で行われる。
【００７７】
図５は、端末主導方式を説明するための図である。
【００７８】
図５に示すように、ステップＳ１１において、ｅＮＢ２００は、ブロードキャストＲＲＣシグナリング又は専用（ｄｅｄｉｃａｔｅｄ）ＲＲＣシグナリングにより、補助情報（ＲＡＮ  ａｓｓｉｓｔａｎｃｅ  ｐａｒａｍｅｔｅｒｓ）をＵＥ１００に送信する。ブロードキャストＲＲＣシグナリングは、例えばＳＩＢ（Ｓｙｓｔｅｍ  Ｉｎｆｏｒｍａｔｉｏｎ  Ｂｌｏｃｋ）タイプ１７である。専用ＲＲＣシグナリングは、例えば「ＲＲＣ  Ｃｏｎｎｅｃｔｉｏｎ  Ｒｅｃｏｎｆｉｇｕｒａｔｉｏｎ」メッセージである。
【００７９】
補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。補助情報は、ネットワーク選択動作の対象となるＷＬＡＮ識別子を含んでもよい。ＷＬＡＮ識別子は、ＳＳＩＤ（Ｓｅｒｖｉｃｅ  Ｓｅｔ  Ｉｄｅｎｔｉｆｉｅｒ）、ＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）、又はＢＳＳＩＤ（Ｂａｓｉｃ  Ｓｅｒｖｉｃｅ  Ｓｅｔ  Ｉｄｅｎｔｉｆｉｅｒ）等である。補助情報は、閾値（判定条件）が満たされるべき期間を指定するパラメータを含んでもよい。ＵＥ１００は、補助情報を受信し、受信した補助情報を記憶する。
【００８０】
ステップＳ１２において、ＵＥ１００は、ネットワーク選択動作を行う。
【００８１】
先ず、Ｅ−ＵＴＲＡＮからＷＬＡＮへの切り替えについて説明する。ＵＥ１００は、Ｅ−ＵＴＲＡＮに関する第１の判定条件及びＷＬＡＮに関する第２の判定条件に基づいて、Ｅ−ＵＴＲＡＮからＷＬＡＮに切り替えるか否かの切り替え判定を行う。具体的には、第１の判定条件及び第２の判定条件の両方が満たされた場合、ＵＥ１００は、Ｅ−ＵＴＲＡＮからＷＬＡＮへの切り替えを行う。
【００８２】
第１の判定条件は、Ｅ−ＵＴＲＡＮサービングセルに対する以下の条件である。
【００８３】
RSRPmeas < ThreshServingOffloadWLAN, LowP; or
RSRQmeas < ThreshServingOffloadWLAN, LowQ
【００８４】
ここで、「ＲＳＲＰｍｅａｓ」はＵＥ１００で測定するＬＴＥ参照信号の受信電力、すなわち参照信号受信電力（ＲＳＲＰ）である。「ＲＳＲＱｍｅａｓ」はＵＥ１００で測定するＬＴＥ参照信号の受信品質、すなわち参照信号受信品質（ＲＳＲＱ）である。「ＴｈｒｅｓｈＳｅｒｖｉｎｇＯｆｆｌｏａｄＷＬＡＮ，ＬｏｗＰ」及び「ＴｈｒｅｓｈＳｅｒｖｉｎｇＯｆｆｌｏａｄＷＬＡＮ，ＬｏｗＱ」は、補助情報に含まれている閾値である。
【００８５】
第２の判定条件は、ターゲットＷＬＡＮに対する以下の条件である。
【００８６】
ChannelUtilizationWLAN < ThreshChUtilWLAN, Low; and
BackhaulRateDlWLAN > ThreshBackhRateDLWLAN, High; and
BackhaulRateUlWLAN > ThreshBackhRateULWLAN, High; and 
BeaconRSSI > ThreshBeaconRSSIWLAN, High;
【００８７】
ここで、「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Access  Network  Query  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩ」は、ＵＥ１００で測定するＷＬＡＮ信号強度を示す。「ＴｈｒｅｓｈＣｈＵｔｉｌＷＬＡＮ，Ｌｏｗ」、「ＴｈｒｅｓｈＢａｃｋｈＲａｔｅＤＬＷＬＡＮ，Ｈｉｇｈ」、「ＴｈｒｅｓｈＢａｃｋｈＲａｔｅＵＬＷＬＡＮ，Ｈｉｇｈ」、「ＴｈｒｅｓｈＢｅａｃｏｎＲＳＳＩＷＬＡＮ，Ｈｉｇｈ」は、補助情報に含まれている閾値である。
【００８８】
次に、ＷＬＡＮからＥ−ＵＴＲＡＮへの切り替えの一例について説明する。ＵＥ１００は、ＷＬＡＮに関する第３の判定条件及びＥ−ＵＴＲＡＮに関する第４の判定条件に基づいて、ＷＬＡＮからＥ−ＵＴＲＡＮに切り替えるか否かの切り替え判定を行う。具体的には、第３の判定条件又は第４の判定条件の一方が満たされた場合、ＵＥ１００は、ＷＬＡＮからＥ−ＵＴＲＡＮへの切り替えを行う。
【００８９】
第３の判定条件は、ソースＷＬＡＮに対する以下の条件である。
【００９０】
ChannelUtilizationWLAN > ThreshChUtilWLAN, High; or
BackhaulRateDlWLAN < ThreshBackhRateDLWLAN, Low; or
BackhaulRateUlWLAN < ThreshBackhRateULWLAN, Low; or
BeaconRSSI < ThreshBeaconRSSIWLAN, Low; 
【００９１】
ここで、「ＴｈｒｅｓｈＣｈＵｔｉｌＷＬＡＮ，Ｈｉｇｈ」、「ＴｈｒｅｓｈＢａｃｋｈＲａｔｅＤＬＷＬＡＮ，Ｌｏｗ」、「ＴｈｒｅｓｈＢａｃｋｈＲａｔｅＵＬＷＬＡＮ，Ｌｏｗ」、「ＴｈｒｅｓｈＢｅａｃｏｎＲＳＳＩＷＬＡＮ，Ｌｏｗ」は、補助情報に含まれている閾値である。
【００９２】
第４の判定条件は、Ｅ−ＵＴＲＡＮターゲットセルに対する以下の条件である。
【００９３】
RSRPmeas > ThreshServingOffloadWLAN, HighP; and
RSRQmeas > ThreshServingOffloadWLAN, HighQ;
【００９４】
ここで、「ＴｈｒｅｓｈＳｅｒｖｉｎｇＯｆｆｌｏａｄＷＬＡＮ，ＨｉｇｈＰ」及び「ＴｈｒｅｓｈＳｅｒｖｉｎｇＯｆｆｌｏａｄＷＬＡＮ，ＨｉｇｈＱ」は、補助情報に含まれている閾値である。
【００９５】
Ｅ−ＵＴＲＡＮからＷＬＡＮへの切り替え条件又はＷＬＡＮからＥ−ＵＴＲＡＮへの切り替え条件が満たされた場合、ＵＥ１００のＡＳ層（第１のエンティティ）は、切り替え条件が満たされた旨を上位層（第２のエンティティ）に通知する。ここで上位層とは、例えばＮＡＳ層（又はアプリケーション層）である。
【００９６】
（２）基地局主導方式
基地局主導方式において、ｅＮＢ２００は、ＵＥ１００からの測定報告に基づいて、Ｅ−ＵＴＲＡＮ及びＷＬＡＮの中からＵＥ１００の通信対象ネットワークを選択し、通信対象ネットワークを切り替えるための切り替え指示をＵＥ１００に送信する。
【００９７】
以下において、基地局主導方式の具体例について説明する。
【００９８】
ｅＮＢ２００は、ＷＬＡＮ測定報告を設定するためのＷＬＡＮ測定設定をＵＥ１００に送信する。例えば、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージにＷＬＡＮ測定設定を含める。ＵＥ１００は、ＷＬＡＮ測定設定をｅＮＢ２００から受信する。ＷＬＡＮ測定設定は、測定対象のＷＬＡＮ  ＡＰグループと関連付けられた所定識別子を含む。所定識別子は、測定対象のＷＬＡＮ  ＡＰグループ内の各ＷＬＡＮ  ＡＰ３００の識別子と関連付けられている。
【００９９】
（２．１）動作パターン１
基地局主導方式の動作パターン１において、所定識別子は、測定対象を設定する測定対象設定の識別子である。そのような測定対象設定の識別子は、測定対象識別子（ｍｅａｓＯｂｊｅｃｔＩｄ）と称される。
【０１００】
また、基地局主導方式の動作パターン１において、ＷＬＡＮ測定設定は、測定対象のＷＬＡＮ  ＡＰグループ内の各ＷＬＡＮ  ＡＰ３００のインデックスを含む。インデックスは、ＷＬＡＮ  ＡＰ３００の識別子に比べてビット長が短い。ＷＬＡＮ  ＡＰ３００の識別子（ＷＬＡＮ識別子）は、例えば、ＳＳＩＤ、ＨＥＳＳＩＤ、又はＢＳＳＩＤ等である。
【０１０１】
ＷＬＡＮ  ＡＰ３００の識別子とは別に、当該識別子よりも短いインデックスを導入し、インデックスを送受信することにより、シグナリングオーバーヘッドの削減を図ることができる。例えば、一部のＷＬＡＮ  ＡＰ３００のみを測定対象から除去（ｒｅｍｏｖｅ）する際などに、インデックスを用いて当該除去を指示することが可能になる。
【０１０２】
（２．１．１）動作パターン１Ａ
基地局主導方式の動作パターン１Ａにおいて、ＷＬＡＮ測定設定は、測定対象のＷＬＡＮ  ＡＰグループ内の各ＷＬＡＮ  ＡＰ３００の識別子をさらに含む。
【０１０３】
図６は、基地局主導方式の動作パターン１Ａを示すシーケンス図である。図７は、ＷＬＡＮ測定設定の構成を示す図である。図８は、基地局主導方式の動作パターン１ＡにおけるＷＬＡＮ測定設定の具体例を示す図である。なお、図８における「Ｎｅｅｄ  ＯＮ」とは、パラメータがオプショナルであることを示し、当該パラメータに対応する値が存在しない場合、ＵＥ１００は現在設定されている値を使用し続ける。
【０１０４】
図６に示すように、ステップＳ１０１において、ｅＮＢ２００は、ＷＬＡＮ測定設定をＵＥ１００に送信する。ＵＥ１００は、ＷＬＡＮ測定設定を受信する。
【０１０５】
図７に示すように、ＷＬＡＮ測定設定（ＭｅａｓＣｏｎｆｉｇ）は、測定対象（ＭｅａｓＯｂｊｅｃｔ）、報告設定（ＲｅｐｏｒｔＣｏｎｆｉｇ）、及び測定識別子（ＭｅａｓＩＤ）を含む。測定識別子（ＭｅａｓＩＤ）は、測定対象（ＭｅａｓＯｂｊｅｃｔ）と報告設定（ＲｅｐｏｒｔＣｏｎｆｉｇ）とを関連付ける。具体的には、測定識別子（ＭｅａｓＩＤ）は、測定対象（ＭｅａｓＯｂｊｅｃｔ）設定の識別子（ＭｅａｓＯｂｊｅｃｔＩＤ）と報告設定（ＲｅｐｏｒｔＣｏｎｆｉｇ）の識別子（ＲｅｐｏｒｔＣｏｎｆｉｇＩＤ）との組み合わせを示し、ＵＥ１００に測定させる測定対象と報告設定との組み合わせを識別するものである。
【０１０６】
図８に示すように、ＷＬＡＮ測定設定（ＭｅａｓＣｏｎｆｉｇ）に含まれる測定対象（ＭｅａｓＯｂｊｅｃｔ）は、除去する測定対象のリスト（ＭｅａｓＯｂｊｅｃｔＴｏＲｅｍｏｖｅＬｉｓｔ）、及び追加・変更する測定対象のリスト（ＭｅａｓＯｂｊｅｃｔＴｏＡｄｄＭｏｄＬｉｓｔ）を含む。
【０１０７】
追加・変更する測定対象のリスト（ＭｅａｓＯｂｊｅｃｔＴｏＡｄｄＭｏｄＬｉｓｔ）に含まれる各測定対象（ＭｅａｓＯｂｊｅｃｔＴｏＡｄｄＭｏｄ）は、測定対象識別子（ｍｅａｓＯｂｊｅｃｔＩｄ）及び測定対象（ｍｅａｓＯｂｊｅｃｔ）を含む。測定対象（ｍｅａｓＯｂｊｅｃｔ）は、測定対象ＷＬＡＮ（ＭｅａｓＯｂｊｅｃｔＷＬＡＮ）を含む。
【０１０８】
測定対象ＷＬＡＮ（ＭｅａｓＯｂｊｅｃｔＷＬＡＮ）は、測定対象ＷＬＡＮ周波数（ｗｌａｎｃａｒｒｉｅｒＦｒｅｑ）、測定対象から除去するＷＬＡＮ  ＡＰのリスト（ｗｌａｎｓＴｏＲｅｍｏｖｅＬｉｓｔ）、及び測定対象に追加・変更するＷＬＡＮ  ＡＰのリスト（ｗｌａｎｓＴｏＡｄｄＭｏｄＬｉｓｔ）を含む。図８において、測定対象ＷＬＡＮ周波数（ｗｌａｎｃａｒｒｉｅｒＦｒｅｑ）が２．４ＧＨｚ又は５ＧＨｚである一例を示している。測定対象から除去するＷＬＡＮ  ＡＰのリスト（ｗｌａｎｓＴｏＲｅｍｏｖｅＬｉｓｔ）は、ＷＬＡＮ  ＡＰのインデックスのリスト（ｗｌａｎＩｎｄｅｘＬｉｓｔ）を含む。
【０１０９】
測定対象に追加・変更するＷＬＡＮ  ＡＰのリスト（ｗｌａｎｓＴｏＡｄｄＭｏｄＬｉｓｔ）に含まれる各ＷＬＡＮ  ＡＰ情報（ＷｌａｎｓＴｏＡｄｄＭｏｄ）は、各ＷＬＡＮ  ＡＰのインデックス（ｗｌａｎＩｎｄｅｘ）及び識別子（ｗｌａｎ−Ｉｄｅｎｔｉｆｉｅｒｓ−ｒ１３）を含む。
【０１１０】
ＷＬＡＮ測定設定（ＭｅａｓＣｏｎｆｉｇ）に含まれる報告設定（ＲｅｐｏｒｔＣｏｎｆｉｇ）は、ＷＬＡＮ測定報告のトリガーの種類（ＴｒｉｇｇｅｒＴｙｐｅ）等を含む。第１実施形態において、ＷＬＡＮ測定報告をイベント発生時に送信する「ｅｖｅｎｔ  ｔｒｉｇｇｅｒ  ｒｅｐｏｒｔｉｎｇ」を主として想定する。そのようなイベントとしては、ＷＬＡＮの品質が閾値よりも高くなったというイベント、及びＷＬＡＮの品質が閾値よりも低くなったというイベントが挙げられる。或いは、ＬＴＥの品質が閾値１よりも低くなり、かつ、ＷＬＡＮの品質が閾値２よりも高くなったというイベントであってもよい。ＬＴＥの品質が閾値１よりも高くなり、かつ、ＷＬＡＮの品質が閾値２よりも低くなったというイベントであってもよい。現在のＷＬＡＮの品質が閾値１よりも低くなり、かつ、他のＷＬＡＮの品質が閾値２よりも高くなったというイベントであってもよい。
【０１１１】
図１に示すような状況において、ＵＥ１００がＷＬＡＮ  ＡＰグループＢのカバレッジに移動することをｅＮＢ２００が把握したい場合を想定する。この場合、ｅＮＢ２００は、追加・変更する測定対象のリスト（ＭｅａｓＯｂｊｅｃｔＴｏＡｄｄＭｏｄＬｉｓｔ）に、ＷＬＡＮ  ＡＰグループＢに対応する測定対象識別子（ｍｅａｓＯｂｊｅｃｔＩｄ）及び測定対象（ｍｅａｓＯｂｊｅｃｔ）を含める。また、ｅＮＢ２００は、ＷＬＡＮ  ＡＰグループＢに対応する測定対象識別子（ｍｅａｓＯｂｊｅｃｔＩｄ）に、ＷＬＡＮの品質が閾値よりも高くなったというイベントを含む報告設定（ＲｅｐｏｒｔＣｏｎｆｉｇ）を組み合わせる。これにより、ＵＥ１００は、ＷＬＡＮ  ＡＰグループＢに含まれるＷＬＡＮ  ＡＰ３００の品質が閾値よりも高くなった際に、当該ＷＬＡＮ  ＡＰ３００に関するＷＬＡＮ測定報告をｅＮＢ２００に送信する。
【０１１２】
図６に示すように、ステップＳ１０２において、ＵＥ１００は、ＷＬＡＮ測定設定（ＭｅａｓＣｏｎｆｉｇ）に基づいて、測定識別子（ＭｅａｓＩＤ）で示された測定を行う。具体的には、ＵＥ１００は、測定識別子（ＭｅａｓＩＤ）に対応する測定対象ＷＬＡＮ（ＭｅａｓＯｂｊｅｃｔＷＬＡＮ）に対するＷＬＡＮ測定を行う。ＷＬＡＮ測定における測定パラメータとしては、例えば、「ＣｈａｎｎｅｌＵｔｉｌｉｚａｔｉｏｎＷＬＡＮ」、「ＢａｃｋｈａｕｌＲａｔｅＤｌＷＬＡＮ」、「ＢａｃｋｈａｕｌＲａｔｅＵｌＷＬＡＮ」、「ＢｅａｃｏｎＲＳＳＩ」等が挙げられる。「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Ａｃｃｅｓｓ  Ｎｅｔｗｏｒｋ  Ｑｕｅｒｙ  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩ」は、ＵＥ１００で測定するＷＬＡＮ信号強度を示す。ＷＬＡＮ測定における測定パラメータの種類は、報告設定（ＲｅｐｏｒｔＣｏｎｆｉｇ）により指定されてもよい。
【０１１３】
ステップＳ１０３において、ＵＥ１００は、ＷＬＡＮ測定に基づいて、報告設定（ＲｅｐｏｒｔＣｏｎｆｉｇ）により指定されたイベントが発生したと判断する。
【０１１４】
ステップＳ１０４において、ＵＥ１００は、ＷＬＡＮ測定報告をｅＮＢ２００に送信する。ｅＮＢ２００は、ＷＬＡＮ測定報告を受信する。ＷＬＡＮ測定報告は、測定識別子（ＭｅａｓＩＤ）、ＷＬＡＮ  ＡＰ識別子（ＷＬＡＮ識別子）、及びＷＬＡＮ測定結果等を含む。測定識別子（ＭｅａｓＩＤ）は測定対象識別子（ｍｅａｓＯｂｊｅｃｔＩｄ）と関連付けられているため、ｅＮＢ２００は、測定識別子（ＭｅａｓＩＤ）に基づいてＷＬＡＮ  ＡＰグループを識別することができる。或いは、ＷＬＡＮ測定報告は、測定対象識別子（ｍｅａｓＯｂｊｅｃｔＩｄ）を含んでもよい。或いは、シグナリングオーバーヘッドの削減を図るために、ＷＬＡＮ測定報告は、ＷＬＡＮ  ＡＰの識別子（ＷＬＡＮ識別子）に代えて、ＷＬＡＮ  ＡＰのインデックス（ＷＬＡＮインデックス）を含んでもよい。
【０１１５】
ｅＮＢ２００は、ＷＬＡＮ測定報告に基づいて、測定対象のＷＬＡＮ  ＡＰグループのカバレッジにＵＥ１００が移動したことを把握する。また、ｅＮＢ２００は、測定対象のＷＬＡＮ  ＡＰグループに含まれるＷＬＡＮ  ＡＰ３００のうち、ＵＥ１００とのＷＬＡＮ通信を行うべきＷＬＡＮ  ＡＰ３００を決定する。
【０１１６】
ステップＳ１０５において、ｅＮＢ２００は、決定したＷＬＡＮ  ＡＰ３００の識別子（ＷＬＡＮ識別子）を含む切り替え指示をＵＥ１００に送信する。ここでＷＬＡＮ  ＡＰの識別子（ＷＬＡＮ識別子）に代えて、ＷＬＡＮ  ＡＰのインデックス（ＷＬＡＮインデックス）を用いてもよい。ＵＥ１００は、切り替え指示を受信する。そのような切り替え指示は、「Ｓｔｅｅｒｉｎｇ  ｃｏｍｍａｎｄ」と称されることがある。第１実施形態において、切り替え指示が、一のＷＬＡＮ  ＡＰ３００から他のＷＬＡＮ  ＡＰ３００に対してＷＬＡＮ通信を切り替えるための指示である場合を想定する。具体的には、切り替え指示は、一のＷＬＡＮ  ＡＰグループに属するＷＬＡＮ  ＡＰ３００から他のＷＬＡＮ  ＡＰグループに属するＷＬＡＮ  ＡＰ３００に対してＷＬＡＮ通信を切り替えるための指示であってもよい。但し、切り替え指示は、ｅＮＢ２００からＷＬＡＮ  ＡＰ３００に対して通信（データ）を切り替えるための指示であってもよい。或いは、切り替え指示は、ｅＮＢ２００との通信及びＡＰ３００との通信をＵＥ１００が同時に行う「ＷＬＡＮ  Ａｇｇｒｅｇａｔｉｏｎ」を開始させる指示であってもよい。「ＷＬＡＮ  Ａｇｇｒｅｇａｔｉｏｎ」の開始指示は、「ＲＲＣ  Ｃｏｎｎｅｃｔｉｏｎ  Ｒｅｃｏｎｆｉｇｕｒａｔｉｏｎ」メッセージによりｅＮＢ２００からＵＥ１００に送信されてもよい。
【０１１７】
ステップＳ１０６において、ＵＥ１００は、切り替え指示により指定されたＷＬＡＮ  ＡＰ３００への切り替えを行う。ＵＥ１００は、切り替え指示に対する肯定応答又は否定応答をｅＮＢ２００に送信してもよい。
【０１１８】
（２．１．２）動作パターン１Ｂ
基地局主導方式の動作パターン１Ｂにおいて、ｅＮＢ２００は、ＷＬＡＮ測定設定とは異なる通知情報をブロードキャスト又はユニキャストでＵＥ１００に送信する。通知情報は、複数のＷＬＡＮ  ＡＰ３００のそれぞれのインデックス及び識別子を含む。ＵＥ１００は、通知情報を受信する。或いは、ＵＥ１００は、ｅＮＢ２００を介してＥＰＣ５００（コアネットワーク）から通知情報を受信してもよい。例えば、ＵＥ１００は、ＥＰＣ５００に設けられたＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）から通知情報を受信する。
【０１１９】
このように、各ＷＬＡＮ  ＡＰ３００のインデックス及び識別子の対応関係をＷＬＡＮ測定設定とは別にＵＥ１００に通知する。これにより、ＷＬＡＮ  ＡＰ３００の識別子をＷＬＡＮ測定設定に含める必要がなく、ＷＬＡＮ  ＡＰ３００のインデックスをＷＬＡＮ測定設定に含めればよい。よって、ＷＬＡＮ測定設定（具体的には、ＭｅａｓＯｂｊｅｃｔＷＬＡＮ）のサイズを小さくすることができる。特に、ＷＬＡＮ測定設定（具体的には、ＭｅａｓＯｂｊｅｃｔＷＬＡＮ）を頻繁に更新する場合、シグナリングオーバーヘッドの削減効果が大きい。
【０１２０】
図９は、基地局主導方式の動作パターン１Ｂを示すシーケンス図である。ここでは、基地局主導方式の動作パターン１Ａとの相違点を主として説明する。
【０１２１】
図９に示すように、ステップＳ１３１において、ｅＮＢ２００は、自カバレッジに存在する複数のＷＬＡＮ  ＡＰ３００のそれぞれのインデックス及び識別子を含む通知情報をブロードキャスト又はユニキャストでＵＥ１００に送信する。ＵＥ１００は、通知情報を受信して、受信した通知情報を記憶する。
【０１２２】
ブロードキャスト送信の場合、ｅＮＢ２００は、例えばＳＩＢ（Ｓｙｓｔｅｍ  Ｉｎｆｏｒｍａｔｉｏｎ  Ｂｌｏｃｋ）に通知情報を含める。ＷＬＡＮ  ＡＰグループがＵＥ専用ではなく共通の場合、すなわち、どのＵＥ１００に対してもＷＬＡＮ  ＡＰのグルーピングがセル内で共通の場合、ＳＩＢで提供した方がリソース削減になる。一方、ユニキャスト送信の場合、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージに通知情報を含める。
【０１２３】
ステップＳ１３２において、ｅＮＢ２００は、ＷＬＡＮ測定設定をＵＥ１００に送信する。ＵＥ１００は、ＷＬＡＮ測定設定を受信する。基地局主導方式の動作パターン１Ｂにおいて、ＷＬＡＮ測定設定（具体的には、ＭｅａｓＯｂｊｅｃｔＷＬＡＮ）は、ＷＬＡＮ  ＡＰ３００のインデックスを含むが、ＷＬＡＮ  ＡＰ３００の識別子を含まない。その他の点については、動作パターン１ＡにおけるＷＬＡＮ測定設定と同様である。ＵＥ１００は、記憶している通知情報に基づいて、ＷＬＡＮ測定設定に含まれるＷＬＡＮ  ＡＰ３００のインデックスに対応するＷＬＡＮ識別子を導出する。
【０１２４】
その後の動作（ステップＳ１３３乃至Ｓ１３７）については、基地局主導方式の動作パターン１Ａと同様である。
【０１２５】
（２．２）動作パターン２
基地局主導方式の動作パターン２において、測定対象のＷＬＡＮ  ＡＰグループと関連付けられた所定識別子は、測定対象のＷＬＡＮ  ＡＰグループのグループ識別子である。
【０１２６】
（２．２．１）動作パターン２Ａ
基地局主導方式の動作パターン２Ａにおいて、ＷＬＡＮ測定設定は、測定対象のＷＬＡＮ  ＡＰグループ内の各ＷＬＡＮ  ＡＰ３００の識別子をさらに含む。
【０１２７】
図１０は、基地局主導方式の動作パターン２Ａを示すシーケンス図である。ここでは、基地局主導方式の動作パターン１Ａとの相違点を主として説明する。
【０１２８】
図１０に示すように、ステップＳ１５１において、ｅＮＢ２００は、ＷＬＡＮ測定設定をＵＥ１００に送信する。ＵＥ１００は、ＷＬＡＮ測定設定を受信する。
【０１２９】
基地局主導方式の動作パターン２Ａにおいて、ＷＬＡＮ測定設定（ＭｅａｓＣｏｎｆｉｇ）に含まれる測定対象（ＭｅａｓＯｂｊｅｃｔ）は、除去する測定対象のリスト（ＭｅａｓＯｂｊｅｃｔＴｏＲｅｍｏｖｅＬｉｓｔ）、及び追加・変更する測定対象のリスト（ＭｅａｓＯｂｊｅｃｔＴｏＡｄｄＭｏｄＬｉｓｔ）を含む。
【０１３０】
追加・変更する測定対象のリスト（ＭｅａｓＯｂｊｅｃｔＴｏＡｄｄＭｏｄＬｉｓｔ）に含まれる各測定対象（ＭｅａｓＯｂｊｅｃｔＴｏＡｄｄＭｏｄ）は、測定対象識別子（ｍｅａｓＯｂｊｅｃｔＩｄ）及び測定対象（ｍｅａｓＯｂｊｅｃｔ）を含む。測定対象（ｍｅａｓＯｂｊｅｃｔ）は、測定対象ＷＬＡＮ（ＭｅａｓＯｂｊｅｃｔＷＬＡＮ）を含む。測定対象ＷＬＡＮ（ＭｅａｓＯｂｊｅｃｔＷＬＡＮ）は、グループ識別子を含む。
【０１３１】
測定対象ＷＬＡＮ（ＭｅａｓＯｂｊｅｃｔＷＬＡＮ）は、測定対象ＷＬＡＮ周波数（ｗｌａｎｃａｒｒｉｅｒＦｒｅｑ）、測定対象から除去するＷＬＡＮ  ＡＰのリスト（ｗｌａｎｓＴｏＲｅｍｏｖｅＬｉｓｔ）、及び測定対象に追加・変更するＷＬＡＮ  ＡＰのリスト（ｗｌａｎｓＴｏＡｄｄＭｏｄＬｉｓｔ）を含む。測定対象から除去するＷＬＡＮ  ＡＰのリスト（ｗｌａｎｓＴｏＲｅｍｏｖｅＬｉｓｔ）は、ＷＬＡＮ  ＡＰの識別子（ＷＬＡＮ識別子）のリストを含む。ｗｌａｎｓＴｏＡｄｄＭｏｄＬｉｓｔに含まれる各ＷＬＡＮ  ＡＰ情報（ＷｌａｎｓＴｏＡｄｄＭｏｄ）は、各ＷＬＡＮ  ＡＰの識別子（ｗｌａｎ−Ｉｄｅｎｔｉｆｉｅｒｓ−ｒ１３）を含む。
【０１３２】
ステップＳ１５２において、ＵＥ１００は、ＷＬＡＮ測定設定（ＭｅａｓＣｏｎｆｉｇ）に基づいて、測定識別子（ＭｅａｓＩＤ）で示された測定を行う。具体的には、ＵＥ１００は、測定識別子（ＭｅａｓＩＤ）に対応する測定対象ＷＬＡＮ（ＭｅａｓＯｂｊｅｃｔＷＬＡＮ）に対するＷＬＡＮ測定を行う。
【０１３３】
ステップＳ１５３において、ＵＥ１００は、ＷＬＡＮ測定に基づいて、報告設定（ＲｅｐｏｒｔＣｏｎｆｉｇ）により指定されたイベントが発生したと判断する。
【０１３４】
ステップＳ１５４において、ＵＥ１００は、ＷＬＡＮ測定報告をｅＮＢ２００に送信する。ｅＮＢ２００は、ＷＬＡＮ測定報告を受信する。ＷＬＡＮ測定報告は、グループ識別子、ＷＬＡＮ  ＡＰ識別子（ＷＬＡＮ識別子）、及びＷＬＡＮ測定結果等を含む。ｅＮＢ２００は、グループ識別子に基づいてＷＬＡＮ  ＡＰグループを識別することができる。なお、ＷＬＡＮ測定報告は、ＷＬＡＮ  ＡＰ識別子（ＷＬＡＮ識別子）を含むが、グループ識別子を含まないとしてもよい。ｅＮＢ２００がＷＬＡＮ識別子を受け取ることでＷＬＡＮ  ＡＰグループを一意に特定できるのであれば、グループ識別子が不要である可能性があるからである。或いは、ＷＬＡＮ測定報告は、グループ識別子を含むが、ＷＬＡＮ識別子を含まないとしてもよい。ＵＥ１００がＷＬＡＮに初期接続する場合には、ＷＬＡＮ識別子までは必要としない可能性があるからである。
【０１３５】
ｅＮＢ２００は、ＷＬＡＮ測定報告に基づいて、測定対象のＷＬＡＮ  ＡＰグループのカバレッジにＵＥ１００が移動したことを把握する。また、ｅＮＢ２００は、測定対象のＷＬＡＮ  ＡＰグループに含まれるＷＬＡＮ  ＡＰ３００のうち、ＵＥ１００とのＷＬＡＮ通信を行うべきＷＬＡＮ  ＡＰ３００を決定する。
【０１３６】
ステップＳ１５５において、ｅＮＢ２００は、決定したＷＬＡＮ  ＡＰ３００の識別子（ＷＬＡＮ識別子）を含む切り替え指示をＵＥ１００に送信する。ＵＥ１００は、切り替え指示を受信する。或いは、シグナリングオーバーヘッドの削減を図るために、切り替え指示は、ＷＬＡＮ  ＡＰの識別子（ＷＬＡＮ識別子）に代えて、グループ識別子を含んでもよい。また、１つのＷＬＡＮ  ＡＰが２つ以上のグループに属しているような特殊ケースを想定した場合、当該１つのＷＬＡＮ  ＡＰを媒介して、ＵＥ１００が数珠つなぎのように複数グループを勝手に行き来してしまう虞がある。切り替え指示において、トラフィックを移行する「グループ」を明示的に指定することで、このような動作を防ぐ効果が期待される。
【０１３７】
ステップＳ１５６において、ＵＥ１００は、切り替え指示により指定されたＷＬＡＮ  ＡＰ３００（又は指定されたＷＬＡＮ  ＡＰグループ）への切り替えを行う。或いは、切り替え指示は、ｅＮＢ２００との通信及びＡＰ３００との通信をＵＥ１００が同時に行う「ＷＬＡＮ  Ａｇｇｒｅｇａｔｉｏｎ」を開始させる指示であってもよい。ＵＥ１００は、切り替え指示に対する肯定応答又は否定応答をｅＮＢ２００に送信してもよい。
【０１３８】
（２．２．２）動作パターン２Ｂ
基地局主導方式の動作パターン２Ｂにおいて、ｅＮＢ２００は、ＷＬＡＮ測定設定とは異なる通知情報をブロードキャスト又はユニキャストでＵＥ１００に送信する。通知情報は、ＷＬＡＮ  ＡＰグループのグループ識別子、及び、当該ＷＬＡＮ  ＡＰグループ内の各ＷＬＡＮ  ＡＰ３００の識別子を含む。ＵＥ１００は、通知情報を受信する。或いは、ＵＥ１００は、ｅＮＢ２００を介してＥＰＣ５００（コアネットワーク）から通知情報を受信してもよい。例えば、ＵＥ１００は、ＥＰＣ５００に設けられたＡＮＤＳＦから通知情報を受信する。
【０１３９】
このように、ＷＬＡＮ  ＡＰグループのグループ識別子と当該ＷＬＡＮ  ＡＰグループ内の各ＷＬＡＮ  ＡＰ３００の識別子との対応関係をＷＬＡＮ測定設定とは別にＵＥ１００に通知する。これにより、ＷＬＡＮ  ＡＰ３００の識別子をＷＬＡＮ測定設定に含める必要がなく、測定対象のＷＬＡＮ  ＡＰグループのグループ識別子をＷＬＡＮ測定設定に含めればよい。よって、ＷＬＡＮ測定設定（具体的には、ＭｅａｓＯｂｊｅｃｔＷＬＡＮ）のサイズを小さくすることができる。特に、ＷＬＡＮ測定設定（具体的には、ＭｅａｓＯｂｊｅｃｔＷＬＡＮ）を頻繁に更新する場合、シグナリングオーバーヘッドの削減効果が大きい。
【０１４０】
図１１は、基地局主導方式の動作パターン２Ｂを示すシーケンス図である。ここでは、基地局主導方式の動作パターン２Ａとの相違点を主として説明する。
【０１４１】
図１１に示すように、ステップＳ１７１において、ｅＮＢ２００は、自カバレッジに存在するＷＬＡＮ  ＡＰグループのグループ識別子及び当該ＷＬＡＮ  ＡＰグループ内の各ＷＬＡＮ  ＡＰ３００の識別子を含む通知情報をブロードキャスト又はユニキャストでＵＥ１００に送信する。ＵＥ１００は、通知情報を受信して、受信した通知情報を記憶する。
【０１４２】
ブロードキャスト送信の場合、ｅＮＢ２００は、例えばＳＩＢ（Ｓｙｓｔｅｍ  Ｉｎｆｏｒｍａｔｉｏｎ  Ｂｌｏｃｋ）に通知情報を含める。一方、ユニキャスト送信の場合、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージに通知情報を含める。
【０１４３】
ステップＳ１７２において、ｅＮＢ２００は、ＷＬＡＮ測定設定をＵＥ１００に送信する。ＵＥ１００は、ＷＬＡＮ測定設定を受信する。基地局主導方式の動作パターン２Ｂにおいて、ＷＬＡＮ測定設定（具体的には、ＭｅａｓＯｂｊｅｃｔＷＬＡＮ）は、測定対象のＷＬＡＮ  ＡＰグループのグループ識別子を含むが、ＷＬＡＮ  ＡＰ３００の識別子を含まない。その他の点については、動作パターン２ＡにおけるＷＬＡＮ測定設定と同様である。ＵＥ１００は、記憶している通知情報に基づいて、ＷＬＡＮ測定設定に含まれるグループ識別子に対応する各ＷＬＡＮ識別子を導出する。
【０１４４】
その後の動作（ステップＳ１７３乃至Ｓ１７７）については、基地局主導方式の動作パターン２Ａと同様である。
【０１４５】
（２．３）切り替え指示を受信したＵＥ１００の動作
以下において、ｅＮＢ２００から切り替え指示を受信したＵＥ１００の動作を説明する。図１２は、切り替え指示を受信したＵＥ１００の動作を示すシーケンス図である。
【０１４６】
図１２に示すように、ＵＥ１００は、ｅＮＢ２００とのＷＷＡＮ通信を行う第１のエンティティ１３１と、第１のエンティティ１３１よりも上位層に位置付けられる第２のエンティティ１３２と、を含む。第１のエンティティ１３１及び第２のエンティティ１３２は、ＵＥ１００の制御部１３０に含まれる。第１のエンティティ１３１は、ＡＳ層エンティティである。第１のエンティティ１３１は、ＡＳ層エンティティのうちＲＲＣ層エンティティであってもよい。第２のエンティティ１３２は、ＮＡＳ層エンティティである。第２のエンティティ１３２は、アプリケーション層エンティティであってもよい。
【０１４７】
ステップＳ１９１において、第１のエンティティ１３１は、ＵＥ１００のデータについて通信対象ネットワークをＷＷＡＮ（Ｅ−ＵＴＲＡＮ）とＷＬＡＮとの間で切り替えるための切り替え指示をｅＮＢ２００から受信する。切り替え指示は、ＵＥ１００宛ての専用ＲＲＣシグナリング（例えば、「ＲＲＣ  Ｃｏｎｎｅｃｔｉｏｎ  Ｒｅｃｏｎｆｉｇｕｒａｔｉｏｎ」メッセージ）によりｅＮＢ２００から送信される。ここでは、Ｅ−ＵＴＲＡＮからＷＬＡＮへの切り替え（オフロード）の指示を想定する。切り替え指示は、接続対象のＷＬＡＮに関する識別子を含む。接続対象のＷＬＡＮに関する識別子とは、ＷＬＡＮ  ＡＰ３００の識別子（ＷＬＡＮ識別子）、ＷＬＡＮ  ＡＰ３００のインデックス（ＷＬＡＮインデックス）、ＷＬＡＮ  ＡＰグループの識別子（グループ識別子）のうち少なくとも１つである。切り替え指示は、切り替え対象（オフロード対象）のベアラの識別子を含んでもよい。ベアラ識別子とは、ＥＰＳ（Ｅｖｏｌｖｅｄ  Ｐａｃｋｅｔ  Ｓｙｓｔｅｍ）ベアラＩＤ、ＤＲＢ（Ｄａｔａ  Ｒａｄｉｏ  Ｂｅａｒｅｒ）  ＩＤ、Ｅ−ＲＡＢ  ＩＤのうち、少なくとも１つである。或いは、切り替え指示は、切り替え対象（オフロード対象）のＡＰＮの情報を含んでもよい。
【０１４８】
ステップＳ１９２において、第１のエンティティ１３１は、ｅＮＢ２００から切替え指示を受信したことに応じて、通信対象ネットワークの切り替えを示すインジケータ（ｍｏｖｅ−ｔｒａｆｆｉｃ−ｔｏ−ＷＬＡＮ）を第２のエンティティ１３２に通知する。
【０１４９】
第１実施形態に係る通信システムにおいて、ＷＷＡＮ及びＷＬＡＮの中から通信対象ネットワークを選択するネットワーク選択を第１のエンティティ１３１が行う端末主導方式、及び当該ネットワーク選択をｅＮＢ２００が行う基地局主導方式が規定されている。切り替え指示をｅＮＢ２００から受信した場合、第１のエンティティ１３１は、基地局主導方式が適用されていることを識別可能なインジケータを第２のエンティティ１３２に通知する。
【０１５０】
ここで、基地局主導方式が適用されていることを識別可能なインジケータは、基地局主導方式に専用のインジケータである。例えば、当該インジケータは、ｍｏｖｅ−ｔｒａｆｆｉｃ−ｔｏ−ＷＬＡＮ−ｒ１３である。
【０１５１】
或いは、基地局主導方式が適用されていることを識別可能なインジケータは、端末主導方式におけるインジケータに基地局主導方式を示す情報が付加されたものである。例えば、第１のエンティティ１３１は、リリース１２のｍｏｖｅ−ｔｒａｆｆｉｃ−ｔｏ−ＷＬＡＮ（端末主導方式におけるインジケータ）に、「Ｐｒｅｆｅｒｅｎｃｅ  ｉｎｄｉｃａｔｏｒ」を付加する。「Ｐｒｅｆｅｒｅｎｃｅ  ｉｎｄｉｃａｔｏｒ」とは、例えば特殊なＯＰＩ（Ｏｆｆｌｏａｄ  Ｐｒｅｆｅｒｅｎｃｅ  Ｉｎｄｉｃａｔｏｒ）である。
【０１５２】
このように、基地局主導方式が適用されていることを識別可能なインジケータを第２のエンティティ１３２に通知することにより、第２のエンティティ１３２は、通信対象ネットワークを切り替えるか否かの判断を適切に行うことができる。具体的には、基地局主導方式により通信対象ネットワークの切り替えを指示された場合、通信対象ネットワークを切り替える必要性が高いと判断し、通信対象ネットワークを切り替える処理を行うことができる。
【０１５３】
また、切り替え指示がＷＷＡＮからＷＬＡＮへの切り替えを指示する場合、切り替え指示は、接続対象のＷＬＡＮに関する識別子を含む。第１のエンティティ１３１は、インジケータを第２のエンティティ１３２に通知する際に、切り替え指示に含まれる接続対象のＷＬＡＮに関する識別子を第２のエンティティ１３２に通知する。また、第１のエンティティ１３１は、インジケータを第２のエンティティ１３２に通知する際に、切り替え指示に含まれるベアラ識別子を第２のエンティティ１３２に通知してもよい。第１のエンティティ１３１は、インジケータを第２のエンティティ１３２に通知する際に、切り替え指示に含まれるＡＰＮ情報を第２のエンティティ１３２に通知してもよい。
【０１５４】
第２のエンティティ１３２は、第１のエンティティ１３１からインジケータを受信したことに応じて、通信対象ネットワークをＷＷＡＮからＷＬＡＮに切り替えるか否かを判断する。通信対象ネットワークをＷＷＡＮからＷＬＡＮに切り替えると判断した場合、第２のエンティティ１３２は、接続対象ＷＬＡＮに関する識別子に基づいて接続対象ＷＬＡＮに接続することにより、通信対象ネットワークをＷＷＡＮからＷＬＡＮに切り替える処理を行う。通信対象ネットワークの切り替えは、ＡＰＮ単位で行われる。但し、切り替え指示にベアラ識別子が含まれる場合、第２のエンティティ１３２は、ベアラ識別子が示すベアラのみ通信対象ネットワークを切り替えてもよい。
【０１５５】
ステップＳ１９３において、第２のエンティティ１３２は、第１のエンティティ１３１に応答を通知する。当該応答は、切り替え（オフロード）を実施済み（もしくは当該実施を決定済み）の少なくとも１つのベアラ識別子を含んでもよい。当該応答は、このようなベアラ識別子に代えて又はこのようなベアラ識別子に加えて、切り替え（オフロード）を実施不可である少なくとも１つのベアラ識別子を含んでもよい。
【０１５６】
ステップＳ１９４において、第１のエンティティ１３１は、第２のエンティティ１３２からの応答に基づいて、ｅＮＢ２００に応答を通知する。
【０１５７】
例えば、ＷＬＡＮに接続したことを第２のエンティティ１３２から通知された場合、第１のエンティティ１３１は、ＷＬＡＮに接続したことを示す報告（ＷＬＡＮ  ｃｏｎｎｅｃｔｉｏｎ  ｃｏｍｐｌｅｔｅ  ｒｅｐｏｒｔ）をｅＮＢ２００に送信する。
【０１５８】
或いは、切り替え指示に従わない旨及びその理由が第２のエンティティ１３２から通知された場合、第１のエンティティ１３１は、切り替え指示に従わない理由を示す情報（Ｃａｕｓｅ  ｖａｌｕｅ）をｅＮＢ２００に送信する。「Ｃａｕｓｅ  ｖａｌｕｅ」としては、「ｎｏｔＯｆｆｌｏａｄａｂｌｅＰＤＮｃｏｎｎｅｃｔｉｏｎ」、「ｕｐｐｌｅｒＬａｙｅｒＤｅｃｉｓｉｏｎ」、「ＡＮＤＳＦＣｏｎｆｌｉｃｔｉｏｎ」等が挙げられる。ここで、「ｎｏｔＯｆｆｌｏａｄａｂｌｅＰＤＮｃｏｎｎｅｃｔｉｏｎ」は、オフロードが許可されていないＰＤＮ（Ｐａｃｋｅｔ  Ｄａｔａ  Ｎｅｔｗｏｒｋ）接続であったため切り替えができなかった場合に用いられる。なお、ＰＤＮ接続（ＰＤＮ  ｃｏｎｎｅｃｔｉｏｎ）はＡＰＮと略同義である。「ｕｐｐｌｅｒＬａｙｅｒＤｅｃｉｓｉｏｎ」は、第２のエンティティ１３２の任意の判断で切り替えができなかった場合に用いられる。「ＡＮＤＳＦＣｏｎｆｌｉｃｔｉｏｎ」は、ＡＮＤＳＦの判断と切り替え指示の内容が合致しなかった場合に用いられる。
【０１５９】
或いは、切替え指示で指定された接続対象ＷＬＡＮとは異なるＷＬＡＮに接続した旨及び接続したＷＬＡＮに関する識別子が第２のエンティティ１３２から通知された場合、第１のエンティティ１３１は、接続したＷＬＡＮに関する識別子をｅＮＢ２００に送信してもよい。接続したＷＬＡＮに関する識別子とは、ＷＬＡＮ識別子、ＷＬＡＮインデックス、グループ識別子のうち少なくとも１つである。
【０１６０】
また、第２のエンティティ１３２が切り替えを行うベアラの識別子、及び第２のエンティティ１３２が切り替えを行わないベアラの識別子、のうち少なくとも一方を第２のエンティティ１３２から通知された場合、第１のエンティティ１３１は、切り替えを行うベアラの識別子及び切り替えを行わないベアラの識別子をｅＮＢ２００に送信してもよい。
【０１６１】
なお、ステップＳ１９４のメッセージは、ステップＳ１９１の指示に対する応答（例えば、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージ）に限られない。ステップＳ１９４のメッセージは、ＵＥ１００が自発的に送信するメッセージ（例えば、「ＵＥ  Ａｓｓｉｓｔａｎｃｅ  Ｉｎｆｏｒｍａｔｉｏｎ」メッセージ等）でもよい。
【０１６２】
［第２実施形態］
以下において、第２実施形態について、第１実施形態との相違点を主として説明する。
【０１６３】
第２実施形態に係るｅＮＢ２００は、ＵＥ１００のデータについてＷＷＡＮ（Ｅ−ＵＴＲＡＮ）及びＷＬＡＮの中から通信対象ネットワークを選択するネットワーク選択を行い、ネットワーク選択の結果に基づいて、通信対象ネットワークをＷＷＡＮとＷＬＡＮとの間で切り替えるための切り替え指示をＵＥ１００に送信する。ｅＮＢ２００は、ＵＥ１００とは異なる特定装置から取得した所定情報に基づいてネットワーク選択を行う。具体的には、ｅＮＢ２００は、所定情報に基づいて、ＷＬＡＮへの切り替えを行うか否かを判断する。
【０１６４】
第２実施形態の動作パターン１において、特定装置は、ＷＷＡＮのコアネットワーク（ＥＰＣ５００）に設けられるコアネットワーク装置である。所定情報は、ＵＥ１００のデータが、ＷＷＡＮからＷＬＡＮに切り替え可能なベアラに属するデータであるか否かを示すベアラ情報である。
【０１６５】
第２実施形態の動作パターン１において、ｅＮＢ２００は、ベアラの確立時又はベアラの変更時に、ベアラ情報をコアネットワーク装置から取得する。
【０１６６】
第２実施形態の動作パターン２において、特定装置は、ＷＬＡＮに設けられるＷＬＡＮ装置である。所定情報は、ＷＬＡＮ  ＡＰに関する位置情報、ＷＬＡＮ  ＡＰに関する負荷情報、ＷＬＡＮ  ＡＰに関する性能情報、のうち少なくとも１つである。
【０１６７】
（１）動作パターン１
図１３は、第２実施形態の動作パターン１の一例を示すシーケンス図である。ここでは、コアネットワーク装置が移動管理装置（ＭＭＥ：Ｍｏｂｉｌｉｔｙ  Ｍａｎａｇｅｍｅｎｔ  Ｅｎｔｉｔｙ）５１０である一例を説明する。
【０１６８】
図１３に示すように、ステップＳ２０１において、ＭＭＥ５１０は、ベアラ（Ｅ−ＲＡＢ：Ｅ−ＵＴＲＡＮ  Ｒａｄｉｏ  Ａｃｃｅｓｓ  Ｂｅａｒｅｒ）を確立するためのベアラ確立要求（Ｅ−ＲＡＢ  ＳＥＴＵＰ  ＲＥＱＵＥＳＴ）をｅＮＢ２００に送信する。Ｅ−ＲＡＢは、ＵＥ１００とＳ−ＧＷ（Ｓｅｒｖｉｎｇ  Ｇａｔｅｗａｙ）との間に確立されるベアラである。Ｅ−ＲＡＢは、ＵＥ１００とｅＮＢ２００との間のデータ無線ベアラ（ＤＲＢ）とｅＮＢ２００とＳ−ＧＷとの間のＳ１ベアラとを含む。なお、Ｅ−ＲＡＢ及びＳ５／Ｓ８ベアラによりＥＰＳベアラが構成される。Ｓ５／Ｓ８ベアラとは、Ｓ−ＧＷとＰ−ＧＷ（ＰＤＮ  Ｇａｔｅｗａｙ）との間のベアラである。
【０１６９】
ベアラ確立要求（Ｅ−ＲＡＢ  ＳＥＴＵＰ  ＲＥＱＵＥＳＴ）は、確立するＥ−ＲＡＢのリスト（Ｅ−ＲＡＢ  Ｔｏ  Ｂｅ  Ｓｅｔｕｐ  Ｌｉｓｔ）を含む。ＭＭＥ５１０は、ＷＬＡＮに切り替え可能であるかを示すフラグをＥ−ＲＡＢごとにベアラ確立要求（Ｅ−ＲＡＢ  ＳＥＴＵＰ  ＲＥＱＵＥＳＴ）に含める。例えば、ＭＭＥ５１０は、ＷＬＡＮに切り替え可能なＥ−ＲＡＢのフラグとして“１”を設定し、ＷＬＡＮに切り替え不能なＥ−ＲＡＢのフラグとして“０”を設定する。ｅＮＢ２００は、ベアラ確立要求（Ｅ−ＲＡＢ  ＳＥＴＵＰ  ＲＥＱＵＥＳＴ）に含まれる情報を記憶する。なお、このような動作の前提として、ＭＭＥ５１０は、ＥＰＳベアラとＰＤＮ接続（ＡＰＮ）とＥ−ＲＡＢの対応付けを把握しているため、Ｅ−ＲＡＢとＡＰＮとの対応関係を把握している。また、ＭＭＥ５１０は、Ｐ−ＧＷがＷＬＡＮ側のネットワークとの接続能力を有するか否か、及びＡＰＮ毎の制限情報等に基づいて、ＷＬＡＮに切り替え（オフロード）可能なＡＰＮの情報を把握している。或いは、ＭＭＥ５１０は、ＰＣＲＦ（Ｐｏｌｉｃｙ  ａｎｄ  Ｃｈａｒｇｉｎｇ  Ｒｕｌｅｓ  Ｆｕｎｃｔｉｏｎ）から、ＷＬＡＮに切り替え可能なＡＰＮに関する情報を取得してもよい。
【０１７０】
ステップＳ２０２において、ｅＮＢ２００は、ベアラ確立要求（Ｅ−ＲＡＢ  ＳＥＴＵＰ  ＲＥＱＵＥＳＴ）の受信に応じて、データ無線ベアラ及びＳ１ベアラを確立する。
【０１７１】
ステップＳ２０３において、ｅＮＢ２００は、ベアラ確立応答（Ｅ−ＲＡＢ  ＳＥＴＵＰ  ＲＥＳＰＯＮＳＥ）をＭＭＥ５１０に送信する。
【０１７２】
ｅＮＢ２００は、上述した基地局主導方式のネットワーク選択を行う。ｅＮＢ２００は、ＵＥ１００のＥ−ＲＡＢがＷＬＡＮに切り替え可能なＥ−ＲＡＢであるか否かを把握しているため、ＷＬＡＮへの切り替え指示（Ｓｔｅｅｒｉｎｇ  ｃｏｍｍａｎｄ）をＵＥ１００に適切に送信することができる。具体的には、ｅＮＢ２００は、ＵＥ１００のＥ−ＲＡＢがＷＬＡＮに切り替え可能であるか否かを確認し、ＷＬＡＮに切り替え可能である場合に限り、ＷＬＡＮへの切り替え指示をＵＥ１００に送信する。また、ｅＮＢ２００は、ＵＥ１００がＰＤＮ接続（ＡＰＮ）を１つのみ有しており、かつ、オフロード可能ではないＥ−ＲＡＢが当該ＰＤＮ接続に対応付けられている場合には、ＷＬＡＮへの切り替え指示をＵＥ１００に送信しない。これにより、不適切な切り替え指示の送信を避けることができる。或いは、ｅＮＢ２００は、ＷＬＡＮへの切り替え指示をＵＥ１００に送信しない制御に代えて、ＷＬＡＮ測定設定をＵＥ１００に送信しない制御を行ってもよい。
【０１７３】
図１３はベアラ確立時のシーケンスであるが、ベアラ変更時のシーケンスであってもよい。図１４は、第２実施形態の動作パターン１の他の例を示すシーケンス図である。ここでは、図１３との相違点を主として説明する。
【０１７４】
図１４に示すように、ステップＳ２１１において、ＭＭＥ５１０は、ベアラ（Ｅ−ＲＡＢ：Ｅ−ＵＴＲＡＮ  Ｒａｄｉｏ  Ａｃｃｅｓｓ  Ｂｅａｒｅｒ）を変更するためのベアラ変更要求（Ｅ−ＲＡＢ  ＭＯＤＩＦＹ  ＲＥＱＵＥＳＴ）をｅＮＢ２００に送信する。ベアラ変更要求（Ｅ−ＲＡＢ  ＭＯＤＩＦＹ  ＲＥＱＵＥＳＴ）は、変更するＥ−ＲＡＢのリスト（Ｅ−ＲＡＢ  Ｔｏ  Ｂｅ  Ｍｏｄｉｆｉｅｄ  Ｌｉｓｔ）を含む。ＭＭＥ５１０は、ＷＬＡＮに切り替え可能であるかを示すフラグをＥ−ＲＡＢごとにベアラ変更要求（Ｅ−ＲＡＢ  ＭＯＤＩＦＹ  ＲＥＱＵＥＳＴ）に含める。ｅＮＢ２００は、ベアラ確立要求（Ｅ−ＲＡＢ  ＳＥＴＵＰ  ＲＥＱＵＥＳＴ）に含まれる情報を記憶する。
【０１７５】
ステップＳ２１２において、ｅＮＢ２００は、ベアラ変更要求（Ｅ−ＲＡＢ  ＭＯＤＩＦＹ  ＲＥＱＵＥＳＴ）の受信に応じて、データ無線ベアラ及びＳ１ベアラを変更する。
【０１７６】
ステップＳ２１３において、ｅＮＢ２００は、ベアラ変更応答（Ｅ−ＲＡＢ  ＭＯＤＩＦＹ  ＲＥＳＰＯＮＳＥ）をＭＭＥ５１０に送信する。
【０１７７】
なお、第２実施形態の動作パターン１において、ｅＮＢ２００は、ベアラごとの送受信データ量を考慮して、ＷＬＡＮへの切り替えをＵＥ１００に指示するかどうかを判断してもよい。オフロード可能なＰＤＮ接続に対応づけられているＥ−ＲＡＢであるかどうかに加えて、オフロードを指示するに値するベアラであるかどうかも考慮に加えることで、より効率的なオフロードの実現が見込まれる。
【０１７８】
（２）動作パターン２
図１５は、第２実施形態の動作パターン２の一例を示すシーケンス図である。ここでは、ＷＬＡＮ装置がＷＴ４００である一例を説明する。
【０１７９】
図１５に示すように、ステップＳ２２１において、ｅＮＢ２００は、ＷＴ４００に対してＷＬＡＮ情報の送信を要求する。ＷＬＡＮ情報とは、ＷＴ４００が収容するＷＬＡＮ  ＡＰ３００に関する情報である。ＷＬＡＮ情報は、ＷＬＡＮ  ＡＰ３００ごとの情報であってもよいし、ＷＬＡＮ  ＡＰグループごとの情報であってもよい。ＷＬＡＮ情報は、ＷＬＡＮ  ＡＰ３００に関する位置情報、ＷＬＡＮ  ＡＰ３００に関する負荷情報、ＷＬＡＮ  ＡＰ３００に関する性能情報、のうち少なくとも１つである。ＷＬＡＮ  ＡＰ３００に関する位置情報とは、ＷＬＡＮ  ＡＰ３００又はそのグループの地理的位置を示す情報である。ＷＬＡＮ  ＡＰ３００に関する負荷情報とは、ＷＬＡＮ  ＡＰ３００又はそのグループの負荷レベル（例えば、接続ＵＥ数）を示す情報である。ＷＬＡＮ  ＡＰ３００に関する性能情報とは、ＷＬＡＮ  ＡＰ３００又はそのグループの性能（例えば、ＩＥＥＥ８０２．１１のどのシリーズであるか）を示す情報である。なお、ステップＳ２２１は必須ではなく、省略してもよい。
【０１８０】
ステップＳ２２２において、ＷＴ４００は、ＷＬＡＮ情報をｅＮＢ２００に送信する。ｅＮＢ２００は、ＷＬＡＮ情報を受信し、受信したＷＬＡＮ情報を記憶する。
【０１８１】
ｅＮＢ２００は、上述した基地局主導方式のネットワーク選択を行う。ｅＮＢ２００は、切り替え対象のＷＬＡＮ  ＡＰ３００又はそのグループの情報を把握しているため、ＷＬＡＮへの切り替え指示をＵＥ１００に適切に送信することができる。
【０１８２】
例えば、ｅＮＢ２００は、ＵＥ１００からのＷＬＡＮ測定報告とＷＬＡＮ  ＡＰ３００に関する位置情報とに基づいて、ＷＬＡＮ測定報告により示されるＷＬＡＮ  ＡＰ３００又はそのグループの位置を把握する。ｅＮＢ２００は、ＷＬＡＮ測定報告により示されるＷＬＡＮ  ＡＰ３００又はそのグループがｅＮＢ２００のセル中心領域に位置する場合、当該ＷＬＡＮ  ＡＰ３００又はそのグループへの切り替えをＵＥ１００に指示する。なお、ｅＮＢ２００のセル端領域に位置するＵＥ１００には、端末主導方式のネットワーク選択を適用してもよい。端末主導方式のネットワーク選択には、セル端領域に位置するＵＥ１００がＷＬＡＮを選択し易く、セル中心領域に位置するＵＥ１００がＷＬＡＮを選択し難いという特性がある。よって、端末主導方式及び基地局主導方式の併用を想定した場合、セル中心領域に位置するＵＥ１００に対してのみ基地局主導方式を適用することが好ましい。
【０１８３】
或いは、ｅＮＢ２００は、ＵＥ１００からのＷＬＡＮ測定報告とＷＬＡＮ  ＡＰ３００に関する負荷情報とに基づいて、ＷＬＡＮ測定報告により示されるＷＬＡＮ  ＡＰ３００又はそのグループの負荷レベルを把握する。ｅＮＢ２００は、ＷＬＡＮ測定報告により示されるＷＬＡＮ  ＡＰ３００又はそのグループの負荷レベルが所定レベルよりも低い場合、当該ＷＬＡＮ  ＡＰ３００又はそのグループへの切り替えをＵＥ１００に指示する。
【０１８４】
或いは、ｅＮＢ２００は、ＵＥ１００からのＷＬＡＮ測定報告とＷＬＡＮ  ＡＰ３００に関する性能情報とに基づいて、ＷＬＡＮ測定報告により示されるＷＬＡＮ  ＡＰ３００又はそのグループの性能を把握する。ｅＮＢ２００は、ＷＬＡＮ測定報告により示されるＷＬＡＮ  ＡＰ３００又はそのグループの性能が所定の条件（例えば、要求されるＱｏＳ）を満たす場合、当該ＷＬＡＮ  ＡＰ３００又はそのグループへの切り替えをＵＥ１００に指示する。
【０１８５】
［第２実施形態の変更例］
第２実施形態において、ＭＭＥ５１０からｅＮＢ２００に送信されるベアラ確立要求（Ｅ−ＲＡＢ  ＳＥＴＵＰ  ＲＥＱＵＥＳＴ）及びベアラ変更要求（Ｅ−ＲＡＢ  ＭＯＤＩＦＹ  ＲＥＱＵＥＳＴ）について説明したが、ＭＭＥ５１０からｅＮＢ２００に送信されるベアラ解放指示（Ｅ−ＲＡＢ  ＲＥＬＥＡＳＥ  ＣＯＭＭＡＮＤ）について特に触れなかった。
【０１８６】
しかしながら、ＭＭＥ５１０は、ＷＷＡＮからＷＬＡＮへの切り替えを管理しているため、ベアラ解放指示（Ｅ−ＲＡＢ  ＲＥＬＥＡＳＥ  ＣＯＭＭＡＮＤ）によりベアラの解放をｅＮＢ２００に指示してもよい。具体的には、ＭＭＥ５１０は、ＵＥ１００の第２のエンティティ１３２との通信を行い、ＷＬＡＮへの切り替えを把握して、ベアラ解放指示（Ｅ−ＲＡＢ  ＲＥＬＥＡＳＥ  ＣＯＭＭＡＮＤ）をｅＮＢ２００に送信する。この場合、図１２のステップＳ１９４を不要としてもよい。
【０１８７】
ベアラ解放指示（Ｅ−ＲＡＢ  ＲＥＬＥＡＳＥ  ＣＯＭＭＡＮＤ）は、解放すべきベアラのリスト（Ｅ−ＲＡＢ  Ｔｏ  Ｂｅ  Ｒｅｌｅａｓｅｄ  Ｌｉｓｔ  ＩＥ）を含む。当該ＩＥにはＣａｕｓｅが含まれているため、ＭＭＥ５１０は、当該Ｃａｕｓｅとして「Ｓｔｅｅｒｉｎｇ  ｔｏ  ＷＬＡＮ」を設定する。ｅＮＢ２００は、ベアラ解放指示（Ｅ−ＲＡＢ  ＲＥＬＥＡＳＥ  ＣＯＭＭＡＮＤ）に対する応答として、ベアラ解放応答（Ｅ−ＲＡＢ  ＲＥＬＥＡＳＥ  ＲＥＳＰＯＮＳＥ）をＭＭＥ５１０に送信する。
【０１８８】
これとは逆に、ＷＬＡＮからＷＷＡＮに切り替える場合、ＭＭＥ５１０は、ベアラ確立要求（Ｅ−ＲＡＢ  ＳＥＴＵＰ  ＲＥＱＵＥＳＴ）又はベアラ変更要求（Ｅ−ＲＡＢ  ＭＯＤＩＦＹ  ＲＥＱＵＥＳＴ）をｅＮＢ２００に送信する。ＭＭＥ５１０は、ベアラ確立要求（Ｅ−ＲＡＢ  ＳＥＴＵＰ  ＲＥＱＵＥＳＴ）又はベアラ変更要求（Ｅ−ＲＡＢ  ＭＯＤＩＦＹ  ＲＥＱＵＥＳＴ）に含まれるベアラのリストに、Ｃａｕｓｅとして「Ｓｔｅｅｒｉｎｇ  ｆｒｏｍ  ＷＬＡＮ」を設定する。
【０１８９】
このようにして、ｅＮＢ２００は、ＷＷＡＮとＷＬＡＮとの間で切り替えられるベアラに関する情報をＭＭＥ５１０から取得する。
【０１９０】
［第３実施形態］
以下において、第３実施形態について、第１実施形態及び第２実施形態との相違点を主として説明する。
【０１９１】
（ＷＬＡＮ測定報告の用途）
上述した第１実施形態及び第２実施形態において、ＵＥ１００は、ｅＮＢ２００からのＷＬＡＮ測定設定に基づいてＷＬＡＮ測定を開始し、報告条件を満たした場合にｅＮＢ２００にＷＬＡＮ測定報告を送信していた。
【０１９２】
また、上述した第１実施形態及び第２実施形態において、ＷＬＡＮ測定報告が「ＷＬＡＮ／３ＧＰＰ  ｉｎｔｅｒｗｏｒｋｉｎｇ  ｅｎｈａｎｃｅｍｅｎｔ」に用いられる場合を主として説明した。しかしながら、ＷＬＡＮ測定報告は、「ＷＬＡＮ／３ＧＰＰ  ｉｎｔｅｒｗｏｒｋｉｎｇ  ｅｎｈａｎｃｅｍｅｎｔ」以外に、「ＬＴＥ−ＷＬＡＮ  ａｇｇｒｅｇａｔｉｏｎ」にも用いられる。
【０１９３】
以下において、「ＷＬＡＮ／３ＧＰＰ  ｉｎｔｅｒｗｏｒｋｉｎｇ  ｅｎｈａｎｃｅｍｅｎｔ」及び「ＬＴＥ−ＷＬＡＮ  ａｇｇｒｅｇａｔｉｏｎ」の相違点について説明する。
【０１９４】
図１６は、「ＷＬＡＮ／３ＧＰＰ  ｉｎｔｅｒｗｏｒｋｉｎｇ  ｅｎｈａｎｃｅｍｅｎｔ」を説明するための図である。
【０１９５】
図１６に示すように、ｅＮＢ２００は、ＵＥ１００からのＷＬＡＮ測定報告に基づいて、ＵＥ１００に切り替え指示（Ｓｔｅｅｒｉｎｇ  Ｃｏｍｍａｎｄ）を送信する。ＵＥ１００は、切り替え指示（Ｓｔｅｅｒｉｎｇ  Ｃｏｍｍａｎｄ）の受信に応じて、ＵＥ１００のデータの通信に用いられるネットワークをＷＷＡＮ（ｅＮＢ２００）からＷＬＡＮ１０へ切り替える。このようなデータ切り替えは、「オフロード」と称される。
【０１９６】
図１７は、「ＬＴＥ−ＷＬＡＮ  ａｇｇｒｅｇａｔｉｏｎ」を説明するための図である。ここでは下りリンクの「ＬＴＥ−ＷＬＡＮ  ａｇｇｒｅｇａｔｉｏｎ」を説明するが、上りリンクにも「ＬＴＥ−ＷＬＡＮ  ａｇｇｒｅｇａｔｉｏｎ」を適用可能である。
【０１９７】
図１７に示すように、ｅＮＢ２００は、ＵＥ１００からのＷＬＡＮ測定報告に基づいて、ＵＥ１００に「ＲＲＣ  Ｃｏｎｎｅｃｔｉｏｎ  Ｒｅｃｏｎｆｉｇｕｒａｔｉｏｎ」メッセージを送信し、「ＬＴＥ−ＷＬＡＮ  ａｇｇｒｅｇａｔｉｏｎ」の開始を指示する。ＵＥ１００は、切り替え指示（Ｓｔｅｅｒｉｎｇ  Ｃｏｍｍａｎｄ）の受信に応じて、「ＬＴＥ−ＷＬＡＮ  ａｇｇｒｅｇａｔｉｏｎ」を開始する。
【０１９８】
具体的には、「ＬＴＥ−ＷＬＡＮ  ａｇｇｒｅｇａｔｉｏｎ」において、ＵＥ１００は、ＷＷＡＮ（ｅＮＢ２００）との通信及びＷＬＡＮ１０との通信を同時に用いる。図１７の例において、ＵＥ１００のベアラ＃１のデータは、ｅＮＢ２００からＵＥ１００に送信される。これに対し、ＵＥ１００のベアラ＃２のデータの少なくとも一部は、ｅＮＢ２００からＷＬＡＮ１０を経由してＵＥ１００に送信される。
【０１９９】
ｅＮＢ２００は、ベアラ＃１に対応するＰＤＣＰ層のエンティティ（ＰＤＣＰエンティティ）＃１と、ベアラ＃２に対応するＰＤＣＰエンティティ＃２と、を備える。ＰＤＣＰエンティティ＃１は、Ｓ−ＧＷからＳ１インターフェイス上で転送されるベアラ＃１のデータ（ＰＤＣＰ  ＳＤＵ）を処理し、処理後のデータ（ＰＤＣＰ  ＰＤＵ）をＲＬＣ層のエンティティ（ＲＬＣエンティティ）＃１に引き渡す。ＲＬＣエンティティ＃１は、ＰＤＣＰエンティティ＃１からのデータをＲＬＣ  ＳＤＵとして処理し、処理後のデータ（ＲＬＣ  ＰＤＵ）をＬＴＥ  ＭＡＣ層のエンティティ（ＬＴＥ  ＭＡＣエンティティ）に引き渡す。ＬＴＥ  ＭＡＣエンティティは、ＲＬＣエンティティ＃１からのデータをＭＡＣ  ＳＤＵとして処理し、処理後のデータ（ＭＡＣ  ＰＤＵ）を物理層のエンティティ（不図示）を介してＵＥ１００に送信する。
【０２００】
ＰＤＣＰエンティティ＃２は、Ｓ−ＧＷからＳ１インターフェイス上で転送されるベアラ＃２のデータ（ＰＤＣＰ  ＳＤＵ）を処理し、処理後のデータ（ＰＤＣＰ  ＰＤＵ）の少なくとも一部をＸｗインターフェイス上でＷＬＡＮ１０に転送する。Ｘｗインターフェイス上において、ＵＥ１００のデータはＧＴＰ−Ｕ（ＧＰＲＳ  Ｔｕｎｎｅｌｉｎｇ  Ｐｒｏｔｏｃｏｌ  ｆｏｒ  Ｕｓｅｒ  ｐｌａｎｅ）を用いて転送されてもよい。ＧＴＰ−Ｕに代えてＩＰトンネリングを用いてもよい。残りのＰＤＣＰ  ＰＤＵは、ＲＬＣエンティティ＃２に引き渡され、ベアラ＃１と同様の処理を経てＵＥ１００に送信される。
【０２０１】
ＷＬＡＮ１０は、ＷＬＡＮ論理リンク制御（ＬＬＣ：  Ｌｏｇｉｃａｌ  Ｌｉｎｋ  Ｃｏｎｔｒｏｌ）層のエンティティ（ＷＬＡＮ  ＬＬＣエンティティ）及びＷＬＡＮ媒体アクセス制御（ＭＡＣ）層のエンティティ（ＷＬＡＮ  ＭＡＣエンティティ）を備える。ＷＬＡＮ  ＬＬＣエンティティは、ｅＮＢ２００から転送されたベアラ＃２のデータ（ＰＤＣＰ  ＰＤＵ）を処理し、処理後のデータをＷＬＡＮ  ＭＡＣエンティティに引き渡す。ＷＷＡＮ  ＭＡＣエンティティは、ＷＬＡＮ  ＬＬＣエンティティからのデータを処理し、処理後のデータを物理層のエンティティ（不図示）を介してＵＥ１００に送信する。
【０２０２】
なお、図１７に示すＷＬＡＮ  ＬＬＣエンティティに代えて、３ＧＰＰ規格で規定されるアグリゲーション層エンティティが設けられてもよい。或いは、ＷＬＡＮ  ＬＬＣエンティティ及びアグリゲーション層エンティティの何れも設けずに、ｅＮＢ２００から転送されたベアラ＃２のデータ（ＰＤＣＰ  ＰＤＵ）を直接的にＷＬＡＮ  ＭＡＣエンティティに引き渡してもよい。
【０２０３】
（第３実施形態に係る動作）
「ＬＴＥ−ＷＬＡＮ  ａｇｇｒｅｇａｔｉｏｎ」の場合、ＵＥ１００のデータが全てｅＮＢ２００を経由して送受信されるので、ＵＥ１００の全てのデータがオフロード可能なデータであるとみなすことができる。
【０２０４】
一方、「ＷＬＡＮ／３ＧＰＰ  ｉｎｔｅｒｗｏｒｋｉｎｇ  ｅｎｈａｎｃｅｍｅｎｔ」の場合、上述したように、ＵＥ１００が切り替え指示（Ｓｔｅｅｒｉｎｇ  Ｃｏｍｍａｎｄ）を受信したとしても、オフロード可能なデータがない場合にはオフロードを実行することができない。オフロード可能なデータがないような状況下で、ＵＥ１００が「ＷＬＡＮ／３ＧＰＰ  ｉｎｔｅｒｗｏｒｋｉｎｇ  ｅｎｈａｎｃｅｍｅｎｔ」のためにＷＬＡＮ測定及びＷＬＡＮ測定報告を行うことは、ＵＥ１００の消費電力及び処理負荷を不要に増加させる懸念がある。
【０２０５】
そこで、第３実施形態に係るｅＮＢ２００は、ＷＬＡＮ測定報告を設定するためのＷＬＡＮ測定設定（ＭｅａｓＣｏｎｆｉｇ）をＵＥ１００に送信する際に、ＷＬＡＮ測定報告の用途に関する情報（以下、「用途関連情報」という）をＷＬＡＮ測定設定に含める。ＷＬＡＮ測定報告の用途としては、「ＷＬＡＮ／３ＧＰＰ  ｉｎｔｅｒｗｏｒｋｉｎｇ  ｅｎｈａｎｃｅｍｅｎｔ」（特定の用途）、「ＬＴＥ−ＷＬＡＮ  ａｇｇｒｅｇａｔｉｏｎ」、及びその他の用途が挙げられる。その他の用途とは、例えばＭＲＯ（Ｍｏｂｉｌｉｔｙ  Ｒｏｂｕｓｔｎｅｓｓ  Ｏｐｔｉｍｉｚａｔｉｏｎ）等である。
【０２０６】
用途関連情報は、例えば、「ＷＬＡＮ／３ＧＰＰ  ｉｎｔｅｒｗｏｒｋｉｎｇ  ｅｎｈａｎｃｅｍｅｎｔ」の場合は「００」、「ＬＴＥ−ＷＬＡＮ  ａｇｇｒｅｇａｔｉｏｎ」の場合は「０１」、その他の用途の場合は「１０」といったように、ＷＬＡＮ測定報告の用途を直接的に示す情報であってもよい。また、用途関連情報は、ＷＬＡＮ測定設定の理由（ｃａｕｓｅ）を示す情報として定義されてもよい。なお、用途関連情報は、ＭｅａｓＯｂｊｅｃｔＷＬＡＮのＳＥＱＵＥＮＣＥ（図８の最下枠の部分を参照）内に追加されることが好ましい。用途を明示する必要があるのはＷＬＡＮの測定についてのみであると考えられるからである。
【０２０７】
或いは、用途関連情報は、ＷＬＡＮ測定設定中の報告設定（ＲｅｐｏｒｔＣｏｎｆｉｇ）に含まれるイベント種別のように、ＷＬＡＮ測定報告の用途を間接的に示す情報であってもよい。例えば、「ＷＬＡＮ／３ＧＰＰ  ｉｎｔｅｒｗｏｒｋｉｎｇ  ｅｎｈａｎｃｅｍｅｎｔ」の場合は「Ｅｖｅｎｔ  ＷＩ」、「ＬＴＥ−ＷＬＡＮ  ａｇｇｒｅｇａｔｉｏｎ」の場合は「Ｅｖｅｎｔ  ＷＡ」といったイベント種別が用いられる。
【０２０８】
上述したように、ＵＥ１００は、ｅＮＢ２００との通信を行う第１のエンティティ１３１と、第１のエンティティ１３１よりも上位層に位置付けられる第２のエンティティ１３２と、を含む。具体的には、第１のエンティティ１３１は、ＡＳ層エンティティである。第１のエンティティ１３１は、ＡＳ層エンティティのうちＲＲＣ層エンティティであってもよい。第２のエンティティ１３２は、ＮＡＳ層エンティティである。第２のエンティティ１３２は、アプリケーション層エンティティであってもよい。
【０２０９】
第３実施形態の動作パターン１において、第１のエンティティ１３１は、用途関連情報を含むＷＬＡＮ測定設定をｅＮＢ２００から受信する。第１のエンティティ１３１は、用途関連情報が「ＷＬＡＮ／３ＧＰＰ  ｉｎｔｅｒｗｏｒｋｉｎｇ  ｅｎｈａｎｃｅｍｅｎｔ」（特定の用途）を示す場合、ＷＷＡＮからＷＬＡＮへ切り替え可能なデータの有無について第２のエンティティ１３２に問い合わせる。第１のエンティティ１３１は、第２のエンティティ１３２に対する問い合わせの結果をｅＮＢ２００に通知してもよい。
【０２１０】
第３実施形態の動作パターン２において、第１のエンティティ１３１は、用途関連情報が「ＷＬＡＮ／３ＧＰＰ  ｉｎｔｅｒｗｏｒｋｉｎｇ  ｅｎｈａｎｃｅｍｅｎｔ」を示し、かつＷＬＡＮに対する測定結果がＷＬＡＮ測定報告の送信条件（報告条件）を満たした場合、ＷＷＡＮからＷＬＡＮへ切り替え可能なデータの有無について第２のエンティティ１３２に問い合わせる。そして、第１のエンティティ１３１は、第２のエンティティ１３２に対する問い合わせの結果が、ＷＷＡＮからＷＬＡＮへ切り替え可能なデータが有ることを示す場合、ＷＬＡＮ測定報告をｅＮＢ２００に送信する。これに対し、第２のエンティティ１３２に対する問い合わせの結果が、ＷＷＡＮからＷＬＡＮへ切り替え可能なデータが無いことを示す場合、第１のエンティティ１３１は、ＷＬＡＮ測定報告の送信を中止する。
【０２１１】
（１）動作パターン１
図１８は、第３実施形態の動作パターン１を示すシーケンス図である。ここでは、用途関連情報が「ＷＬＡＮ／３ＧＰＰ  ｉｎｔｅｒｗｏｒｋｉｎｇ  ｅｎｈａｎｃｅｍｅｎｔ」を示す場合を想定する。
【０２１２】
図１８に示すように、ステップＳ３０１において、ｅＮＢ２００は、ＷＬＡＮ測定設定をＵＥ１００に送信する。ｅＮＢ２００は、ＲＲＣシグナリングの一種である「ＲＲＣ  Ｃｏｎｎｅｃｔｉｏｎ  Ｒｅｃｏｎｆｉｇｕｒａｔｉｏｎ」メッセージによりＷＬＡＮ測定設定をＵＥ１００に送信してもよい。ＷＬＡＮ測定設定は、用途関連情報を含む。ＵＥ１００の第１のエンティティ１３１は、用途関連情報を含むＷＬＡＮ測定設定を受信する。
【０２１３】
ステップＳ３０２において、第１のエンティティ１３１は、オフロード可能なデータがあるか否かを第２のエンティティ１３２に問い合わせる。
【０２１４】
ステップＳ３０３において、第２のエンティティ１３２は、第１のエンティティ１３１に問い合わせ結果を通知する。
【０２１５】
第１に、オフロード可能なデータがある旨を第２のエンティティ１３２から通知された第１のエンティティ１３１の動作を説明する。この場合、第１のエンティティ１３１は、オフロード可能なデータがある旨を例えばＲＲＣシグナリングによりｅＮＢ２００に通知する。ＲＲＣシグナリングは、「ＲＲＣ  Ｃｏｎｎｅｃｔｉｏｎ  Ｒｅｃｏｎｆｉｇｕｒａｔｉｏｎ」メッセージに対する完了応答（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージであってもよいし、その他のメッセージであってもよい。或いは、第１のエンティティ１３１は、「何も通知しない＝オフロード可能」とみなす取り決めのもと、明示的にはｅＮＢ２００に通知を行わない。
【０２１６】
第２に、オフロード可能なデータがない旨を第２のエンティティ１３２から通知された第１のエンティティ１３１の動作を説明する。この場合、第１のエンティティ１３１は、オフロード可能なデータがない旨を例えばＲＲＣシグナリングによりｅＮＢ２００に通知する。ＲＲＣシグナリングは、「ＲＲＣ  Ｃｏｎｎｅｃｔｉｏｎ  Ｒｅｃｏｎｆｉｇｕｒａｔｉｏｎ」メッセージに対する完了応答（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージであってもよいし、その他のメッセージであってもよい。或いは、第１のエンティティ１３１は、「何も通知されない＝オフロード不可能」とみなす取り決めのもと、明示的にはｅＮＢ２００に通知を行わない。
【０２１７】
なお、オフロード可能なデータがない場合、ｅＮＢ２００は、ＵＥ１００に対して新たに「ＲＲＣ  Ｃｏｎｎｅｃｔｉｏｎ  Ｒｅｃｏｎｆｉｇｕｒａｔｉｏｎ」メッセージを送信してもよい。ＵＥ１００及びｅＮＢ２００は、少なくともオフロード可能なデータがない状況の間は、ＷＬＡＮ測定設定を無視してもよい。
【０２１８】
（２）動作パターン２
図１９は、第３実施形態の動作パターン２を示すシーケンス図である。動作パターン２は、動作パターン１におけるＷＬＡＮ測定設定後にオフロード可能データ有無の状況が変わる可能性を考慮した動作パターンである。ここでは、用途関連情報が「ＷＬＡＮ／３ＧＰＰ  ｉｎｔｅｒｗｏｒｋｉｎｇ  ｅｎｈａｎｃｅｍｅｎｔ」を示す場合を想定する。
【０２１９】
図１９に示すように、ステップＳ３１１において、ｅＮＢ２００は、ＷＬＡＮ測定設定をＵＥ１００に送信する。ｅＮＢ２００は、ＲＲＣシグナリングの一種である「ＲＲＣ  Ｃｏｎｎｅｃｔｉｏｎ  Ｒｅｃｏｎｆｉｇｕｒａｔｉｏｎ」メッセージによりＷＬＡＮ測定設定をＵＥ１００に送信してもよい。ＷＬＡＮ測定設定は、用途関連情報を含む。ＵＥ１００の第１のエンティティ１３１は、用途関連情報を含むＷＬＡＮ測定設定を受信する。
【０２２０】
ステップＳ３１２において、第１のエンティティ１３１は、ＷＬＡＮ測定設定に基づいてＷＬＡＮ測定を行う。
【０２２１】
ステップＳ３１３において、第１のエンティティ１３１は、ＷＬＡＮ測定結果が報告条件を満たしたことを検知する。報告条件は、例えばＷＬＡＮ信号強度が閾値よりも高くなったという条件である。
【０２２２】
ステップＳ３１４において、第１のエンティティ１３１は、オフロード可能なデータがあるか否かを第２のエンティティ１３２に問い合わせる。
【０２２３】
ステップＳ３１５において、第２のエンティティ１３２は、第１のエンティティ１３１に問い合わせ結果を通知する。
【０２２４】
第１のエンティティ１３１は、オフロード可能なデータがある旨を第２のエンティティ１３２から通知された場合（ステップＳ３１６：ＹＥＳ）、ステップＳ３１７において、ＷＬＡＮ測定報告をｅＮＢ２００に送信する。
【０２２５】
これに対し、第１のエンティティ１３１は、オフロード可能なデータがない旨を第２のエンティティ１３２から通知された場合（ステップＳ３１６：ＮＯ）、ＷＬＡＮ測定報告の送信を中止する。或いは、第１のエンティティ１３１は、オフロード可能なデータが存在しない旨を１回に限りｅＮＢ２００に通知してもよい。
【０２２６】
［第３実施形態の変更例１］
上述した第３実施形態においては、オフロード可能なデータの有無を確認していたが、ユーザのプリファレンス情報を判定基準に用いてもよい。具体的には、第１のエンティティ１３１は、ＷＬＡＮ測定設定に含まれる用途関連情報に基づいて、自ＵＥ１００のユーザのプリファレンス情報について第２のエンティティ１３２に問い合わせる。プリファレンス情報は、自ＵＥ１００のＷＬＡＮ通信機能のオン・オフ設定、及びＷＬＡＮ測定報告の特定の用途に対するユーザの興味のうち、少なくとも１つを含む。例えば、用途関連情報が「ＷＬＡＮ／３ＧＰＰ  ｉｎｔｅｒｗｏｒｋｉｎｇ  ｅｎｈａｎｃｅｍｅｎｔ」を示す場合、第１のエンティティ１３１は、「ＷＬＡＮ／３ＧＰＰ  ｉｎｔｅｒｗｏｒｋｉｎｇ  ｅｎｈａｎｃｅｍｅｎｔ」の実施に対してユーザが興味を持つか否かを第２のエンティティ１３２に問い合わせる。
【０２２７】
［第３実施形態の変更例２］
上述した第３実施形態において、ＷＬＡＮ測定設定が用途関連情報を含む一例を説明した。しかしながら、ＷＬＡＮ測定設定は用途関連情報を含まなくてもよい。ＵＥ１００は、「ＷＬＡＮ／３ＧＰＰ  ｉｎｔｅｒｗｏｒｋｉｎｇ  ｅｎｈａｎｃｅｍｅｎｔ」のケースだけではなく、「ＬＴＥ−ＷＬＡＮ  ａｇｇｒｅｇａｔｉｏｎ」のケースにも第３実施形態に係る動作を適用してもよい。
【０２２８】
［第３実施形態の変更例３］
上述した第３実施形態の変更例１において、ＵＥ１００のＷＬＡＮ通信機能のオン・オフ設定等に基づいて、ＷＬＡＮ測定報告（ＷＬＡＮ測定結果を含む測定報告）の送信を中止するか否かを判断する動作を説明した。本変更例において、そのような動作の詳細について補足する。
【０２２９】
ＵＥ１００は、ＷＬＡＮ通信部１２０が占有（Ｏｃｃｕｐｉｅｄ）状態である場合、ＷＬＡＮ測定報告をＷＷＡＮ（ｅＮＢ２００）に送信しない制御を行う。具体的には、ＵＥ１００は、ＷＬＡＮ測定設定が設定済みであり、かつ、ＷＬＡＮ測定報告のトリガー条件を満たしても、ＵＥ１００のＷＬＡＮ通信部１２０が占有状態されている場合には、ＷＬＡＮ測定報告を送信しなくてもよい。なお、ＷＬＡＮ通信部１２０は、「ＷＬＡＮモデム」と称されてもよい。
【０２３０】
ここで、占有状態は、ＷＬＡＮ通信部１２０をＲＣＬＷＩ及び／又はＬＷＡに使用不能な状態を示す。換言すると、占有状態は、ＲＣＬＷＩ及び／又はＬＷＡに提供できるＷＬＡＮ通信機能を準備できない状態を示す。例えば、ユーザのマニュアル操作によってＵＥ１００が特定ＷＬＡＮに接続済みである状態が占有状態に該当する。特定ＷＬＡＮとは、ＲＣＬＷＩ及び／又はＬＷＡに利用可能なオペレータ制御ＷＬＡＮではないＷＬＡＮ（例えば、ホームＷＬＡＮ）である。
【０２３１】
ＷＬＡＮ通信部１２０が占有状態である場合、ＵＥ１００は切り替え指示に従うことができない。そのようなＵＥ１００が切り替え指示を受信すると、予期せぬエラーが生じる虞がある。一方、ｅＮＢ２００は、ＷＬＡＮ測定報告に基づいて、切り替え指示をＵＥ１００に送信する。よって、ＷＬＡＮ通信部が占有状態である場合、ＷＬＡＮ測定報告をｅＮＢ２００に送信しない（すなわち、ＷＬＡＮ測定報告の送信を中止する）ことにより、予期せぬエラーの発生を防止することができる。
【０２３２】
また、ＵＥ１００は、ＷＬＡＮ通信部１２０が占有状態である場合に、ＷＬＡＮ通信部１２０が占有状態であることを示すインディケーションをｅＮＢ２００に送信してもよい。ＵＥ１００は、当該インディケーションの送信をトリガーとして、ＷＬＡＮ測定報告を送信しない制御を開始してもよい。ｅＮＢ２００は、インディケーションに基づいて、ＷＬＡＮ測定報告が行われないと認識する。
【０２３３】
ＷＬＡＮ測定報告を送信しない制御とは、ＷＬＡＮ測定設定を適用しない制御であってもよい。この場合、ＵＥ１００は、ＷＬＡＮ通信部１２０が占有状態であることを示すインディケーションをｅＮＢ２００に送信しても、ＷＬＡＮ測定設定を破棄せずに維持してもよい。その後、ＵＥ１００は、ＷＬＡＮ通信部１２０が非占有状態（ＷＬＡＮ通信部１２０をＲＣＬＷＩ及び／又はＬＷＡに使用可能な状態）に遷移した際に、ＷＬＡＮ測定設定の適用を再開（レジューム）してもよい。
【０２３４】
或いは、ＷＬＡＮ測定報告を送信しない制御とは、ＷＬＡＮ測定設定を破棄することであってもよい。この場合、ＵＥ１００は、ＷＬＡＮ通信部１２０が占有状態であることを示すインディケーションをｅＮＢ２００に送信したことに応じて、ＷＬＡＮ測定設定を破棄する。ｅＮＢ２００は、当該インディケーションの受信に応じて、ＷＬＡＮ測定設定が破棄されたと認識してもよい。
【０２３５】
[第３実施形態の変更例４]
本変更例において、ＷＬＡＮ測定設定は、ＷＬＡＮ測定報告を送信する条件として、ＷＬＡＮ通信部１２０の状態を指定する情報を含む。ＷＬＡＮ測定報告を送信する条件は、ＷＬＡＮ測定設定中の報告設定（ＲｅｐｏｒｔＣｏｎｆｉｇ）に含まれてもよい。例えば、ＷＬＡＮ測定報告を送信する条件の一つとして、ＷＬＡＮ通信部１２０が非占有状態であることが追加される。非占有状態とは、ＷＬＡＮ通信部１２０をＲＣＬＷＩ及び／又はＬＷＡに使用可能な状態を示す。
【０２３６】
ここで、ＷＬＡＮ測定報告を送信する条件（Ｅｖｅｎｔ  ｔｒｉｇｇｅｒ  ｃｏｎｄｉｔｉｏｎ）として、ＷＬＡＮ状態が閾値よりも良くなったというイベントを想定する。このようなイベントは、イベントＷ１と称されてもよい。ＷＬＡＮ状態とは、ＷＬＡＮ測定結果であってもよいし、ＷＬＡＮ測定結果にオフセットが与えられたものであってもよい。この場合、ＷＬＡＮ測定報告を送信する条件として、「ＷＬＡＮ状態が閾値よりも良く、かつ、ＷＬＡＮ通信部１２０が非占有状態である」といった条件が設定される。例えば、ＵＥ１００は、以下のような条件式により、ＷＬＡＮ測定報告を送信するか否かを判断する。
【０２３７】
【数１】
2017018537.tif 000003
【０２３８】
但し、「Ｍｓ」はＷＬＡＮ測定結果を示し、「Ｈｙｓ」はオフセット値（ヒステリシス値）を示し、「Ｔｈｒｅｓｈ」は閾値（ｅＮＢ２００から設定されてもよい）を示す。また、「Entering condition」とはＷＬＡＮ測定報告を送信する処理を開始又は再開する条件を示し、「Leaving condition」とはＷＬＡＮ測定報告を送信する処理を停止する条件を示す。
【０２３９】
［第４実施形態］
以下において、第４実施形態について、第１実施形態乃至第３実施形態との相違点を主として説明する。
【０２４０】
上述した第１実施形態において、ＵＥ１００が、自ＵＥが接続済みのＷＬＡＮを示す識別子をＷＷＡＮ（ｅＮＢ２００）に通知する動作を例示した。また、第３実施形態において、ＵＥ１００が、ＷＷＡＮからＷＬＡＮに切り替え可能なデータを自ＵＥが有することを示す通知をＷＷＡＮに通知する動作を例示した。第４実施形態は、そのような通知に着目した実施形態である。また、第４実施形態は、上述した実施形態と組み合わせて実施可能である。
【０２４１】
以下において、端末主導方式のネットワーク選択動作を「ＲＡＬＷＩ（ＲＡＮ  Ａｓｓｉｓｔｅｄ  ＬＴＥ  ＷＬＡＮ  Ｉｎｔｅｒｗｏｒｋｉｎｇ）」と称し、ＷＬＡＮ／３ＧＰＰ  ｉｎｔｅｒｗｏｒｋｉｎｇ  ｅｎｈａｎｃｅｍｅｎｔのネットワーク選択動作を「ＲＣＬＷＩ（ＲＡＮ  Ｃｏｎｔｒｏｌｌｅｄ  ＬＴＥ  ＷＬＡＮ  Ｉｎｔｅｒｗｏｒｋｉｎｇ）」と称し、ＬＴＥ−ＷＬＡＮ  ａｇｇｒｅｇａｔｉｏｎを「ＬＷＡ」と称する。ＲＡＬＷＩはリリース１２の方式であり、ＲＣＬＷＩ及びＬＷＡはリリース１３の方式である。
【０２４２】
（想定シナリオ）
図２０は、第４実施形態に係る想定シナリオを示す図である。図２０において、ＲＣＬＷＩをＬＷＡと読み替えてもよい。
【０２４３】
図２０に示すように、ｅＮＢ２００は、ＲＡＬＷＩ用の補助情報（ＲＡＮ  ａｓｓｉｓｔａｎｃｅ  ｐａｒａｍｅｔｅｒｓ）をＳＩＢ１７により送信する。ｅＮＢ２００は、時刻ｔ１においてＲＣＬＷＩを適用すると判断する。ｅＮＢ２００は、時刻ｔ２において、ＲＣＬＷＩ用の切り替え指示（Ｓｔｅｅｒｉｎｇ  Ｃｏｍｍａｎｄ）をＵＥ１００に送信する。ＵＥ１００は、切り替え指示を受信するまではＲＡＬＷＩに従って動作する。ＵＥ１００は、切り替え指示を受信すると、ＲＣＬＷＩに従って動作する。
【０２４４】
ここで、時刻ｔ１〜ｔ２の期間においてＵＥ１００はＲＡＬＷＩに従って動作するため、ＵＥ１００の判断でＷＬＡＮへの切り替え（すなわち、オフロード）を行い得る。よって、ＲＣＬＷＩを適用するというｅＮＢ２００の意図に反する動作をＵＥ１００が行い得る。ＵＥ１００が時刻ｔ１〜ｔ２の期間内においてＷＬＡＮへの切り替えを行う場合、時刻ｔ２の時点では、ＷＷＡＮからＷＬＡＮに切り替え可能なデータをＵＥ１００が有していないことがあり得る。また、ＵＥ１００のユーザがマニュアル操作を行ってＷＬＡＮに接続した場合にも同様の現象が生じ得る。そのようなＵＥ１００がｅＮＢ２００から切り替え指示を受信した場合、予期せぬエラーが発生し得る。具体的には、切り替え指示の設定（Ｒｅｃｏｎｆｉｇｕｒａｔｉｏｎ）エラーが発生したり、設定でエラーが生じなくても実動作段階でエラーが発生したりする虞がある。
【０２４５】
（第４実施形態に係る動作）
ＵＥ１００は、ＷＷＡＮ（ｅＮＢ２００）から設定される情報に基づいて、ＷＷＡＮとＷＬＡＮとの間でデータを切り替える機能を有する。ここで、ＷＷＡＮとＷＬＡＮとの間でデータを切り替える機能とは、ＲＡＬＷＩ、ＲＣＬＷＩ、ＬＷＡのうち少なくとも１つの機能である。なお、「データ」は「トラフィック」と同義である。また、ＷＷＡＮからＵＥ１００に設定される情報とは、ＲＡＬＷＩ用の補助情報（ＲＡＮ  ａｓｓｉｓｔａｎｃｅ  ｐａｒａｍｅｔｅｒｓ）、ＲＣＬＷＩ又はＬＷＡ用の切り替え指示（Ｓｔｅｅｒｉｎｇ  Ｃｏｍｍａｎｄ）、ＲＣＬＷＩ又はＬＷＡ用のＷＬＡＮ測定設定（ＭｅａｓＣｏｎｆｉｇ）のうち少なくとも１つの情報である。ＬＷＡ用の切り替え指示は、ＬＷＡ  ｃｏｎｆｉｇｕｒａｔｉｏｎと称されてもよい。
【０２４６】
ＵＥ１００は、ＷＬＡＮとの接続状態に関する通知をＷＷＡＮ（ｅＮＢ２００）に送信する。以下において、当該通知をＷＬＡＮ通知と称する。ＷＬＡＮ通知は、ＷＷＡＮからＷＬＡＮに切り替え可能なデータをＵＥ１００が有するか否かを示すデータ関連情報、及び、ＵＥ１００が接続済みのＷＬＡＮを示すＷＬＡＮ関連識別子のうち、少なくとも１つを含む。データ関連情報及びＷＬＡＮ関連識別子の詳細については後述する。
【０２４７】
図２０に示す例において、ＵＥ１００は、時刻ｔ２よりも前のタイミングでＷＬＡＮ通知をｅＮＢ２００に送信することが好ましい。ｅＮＢ２００は、ＵＥ１００からＷＬＡＮ通知を受信し、ＷＬＡＮ通知に基づいて、上述した機能（特に、ＲＣＬＷＩ又はＬＷＡ）のための情報をＵＥ１００に設定する。このように、ＷＬＡＮとの接続状態に関する情報をＵＥ１００がｅＮＢ２００に提供することにより、ｅＮＢ２００は、ＲＣＬＷＩ又はＬＷＡの制御を適切に行うことが可能となる。
【０２４８】
図２１は、第４実施形態に係る動作シーケンスを示す図である。
【０２４９】
図２１に示すように、ステップＳ４０１において、ＵＥ１００は、ＷＬＡＮ通知を送信する条件（以下、「所定の条件」という）が満たされたか否かを判断する。所定の条件は、第１の条件乃至第５の条件のうち少なくとも１つである。
【０２５０】
第１の条件は、ＵＥ１００がデータ通信中であるという条件である。換言すると、第１の条件は、ＷＬＡＮに切り替え可能なトラフィックが存在するという条件である。もしくは、第１の条件は、ＵＥ１００がＷＬＡＮ経由のトラフィックを有する（ＷＬＡＮと通信中）であるという条件である。
【０２５１】
第２の条件は、ＵＥ１００がアイドルモード（ＲＲＣアイドルモード）からコネクティッドモード（ＲＲＣコネクティッドモード）に遷移したという条件である。なお、ＵＥ１００は、アイドルモードの間にＷＬＡＮに接続した後、当該ＷＬＡＮとの接続を維持したままｅＮＢ２００に接続し得る。
【０２５２】
第３の条件は、ＷＷＡＮ（ｅＮＢ２００）からＵＥ１００にＷＬＡＮ測定が設定されている（すなわち、ＵＥ１００がＷＬＡＮ測定設定を有する）という条件である。ＷＬＡＮ測定が設定されると、ＵＥ１００は、ＲＡＬＷＩを停止する。このような状態は、ＲＣＬＷＩ（又はＬＷＡ）により制御されている又は当該制御が意図されている状態である。
【０２５３】
第４の条件は、ＷＬＡＮ通知の送信を禁止するタイマが動作していないという条件である。タイマは、ＵＥ１００により管理される。タイマは、ＵＥ１００がＷＬＡＮ通知を送信した際に開始される。タイマは、ＷＬＡＮ通知の送信後、一定の期間はＷＬＡＮ通知の送信を禁止するために用いられる。タイマが満了すると、ＷＬＡＮ通知の送信禁止が解除される。タイマの値は、ｅＮＢ２００がＵＥ１００に設定してもよいし、予め決められた値であってもよい。
【０２５４】
第５の条件は、ＷＷＡＮ（ｅＮＢ２００）がＷＬＡＮ通知の送信を許可したという条件である。ｅＮＢ２００は、ＷＬＡＮ通知の送信可否をブロードキャストシグナリング（例えばＳＩＢ１７）又は個別シグナリングによりＵＥ１００に通知する。ｅＮＢ２００は、ＲＣＬＷＩ又はＬＷＡによる制御を意図する場合に、ＷＬＡＮ通知の送信を許可する。一方、ｅＮＢ２００は、ＲＡＬＷＩによる制御を意図する場合に、ＷＬＡＮ通知の送信を許可しない。
【０２５５】
所定の条件が満たされた場合（ステップＳ４０１：ＹＥＳ）、ステップＳ４０２において、ＵＥ１００は、ＷＬＡＮ通知をｅＮＢ２００に送信する。上述したように、ＷＬＡＮ通知は、ＷＷＡＮからＷＬＡＮに切り替え可能なデータをＵＥ１００が有するか否かを示すデータ関連情報、及び、ＵＥ１００が接続済みのＷＬＡＮ（以下、「接続済みＷＬＡＮ」という）を示すＷＬＡＮ関連識別子のうち、少なくとも１つを含む。
【０２５６】
データ関連情報は、ＷＷＡＮからＷＬＡＮに切り替え可能なデータをＵＥ１００が有することを示す情報である。データ関連情報は、ＷＷＡＮからＷＬＡＮに切り替え（オフロード）可能な所定単位の数又は識別子を含んでもよい。所定単位とは、ＷＷＡＮからＷＬＡＮに対してデータを切り替える単位である。例えば、所定単位は、ＡＰＮ、セッション、ベアラ、又はＩＰフロー等である。なお、ベアラは、ＥＰＳベアラであってもよいし、ＤＲＢであってもよい。所定単位の数とは、ＡＰＮ数、セッション数、ベアラ数、又はＩＰフロー数等である。また、所定単位の識別子とは、ＡＰＮ  ＩＤ、セッションＩＤ、ベアラＩＤ、又はＩＰフローＩＤ等である。ＵＥ１００は、既にオフロード済みのトラフィック（所定単位）についてはデータ関連情報に含めなくてもよい。或いは、ＵＥ１００は、オフロード済みのトラフィックも含む各トラフィックについて、オフロード可能か否かを示す識別子を関連付けてもよい。当該識別子は、例えば、「オフロード可能」、「オフロード不可能」、「既にオフロード済」等であってもよい。
【０２５７】
ＷＬＡＮ関連識別子は、接続済みＷＬＡＮの識別子、接続済みＷＬＡＮのインデックス、接続済みＷＬＡＮを含むグループ（モビリティセット）の識別子のうち少なくとも１つを含む。ＷＬＡＮ関連識別子は、ＵＥ１００がＷＬＡＮに接続済みである場合に限り、ＷＬＡＮ通知に含まれてもよい。ここで「接続済み」とは、ＷＬＡＮを介したデータ通信が確立されている状態であってもよい。或いは、「接続済み」とは、データ通信が確立されていないもののＷＬＡＮ接続処理（セキュリティ認証等）が完了している状態であってもよい。また、ＷＬＡＮ関連識別子は、ＵＥ１００が接続済みのＷＬＡＮであって、かつ、特定の条件を満たすＷＬＡＮ（以下、「特定ＷＬＡＮ」という）に関する識別子であってもよい。この場合、接続済みＷＬＡＮが特定ＷＬＡＮでない場合、ＵＥ１００は、接続済みＷＬＡＮに関するＷＬＡＮ関連識別子をＷＬＡＮ通知に含めない。特定ＷＬＡＮは、ＷＷＡＮから提供される補助パラメータに基づきＵＥ１００の判断で接続したＷＬＡＮ（すなわち、ＲＡＬＷＩにより接続したＷＬＡＮ）であってもよい。或いは、特定ＷＬＡＮは、ユーザのマニュアル操作で接続したＷＬＡＮであってもよい。或いは、特定ＷＬＡＮは、ＵＥ１００がアイドルモード中に接続したＷＬＡＮであってもよい。
【０２５８】
ＵＥ１００は、ＷＬＡＮ通知をＷＬＡＮ測定報告に含めてｅＮＢ２００に送信してもよい。或いは、ＵＥ１００は、ＷＬＡＮ通知をＵＥ  Ａｓｓｉｓｔａｎｃｅ  Ｉｎｆｏｒｍａｔｉｏｎ又はＷＬＡＮ  Ｓｔａｔｕｓ  Ｉｎｄｉｃａｔｉｏｎ等の他のメッセージに含めてｅＮＢ２００に送信してもよい。ここでは、ＷＬＡＮ通知をＷＬＡＮ測定報告に含める一例を想定する。ＵＥ１００は、接続済みＷＬＡＮの識別子、接続済みＷＬＡＮが含まれるモビリティセットの識別子、接続済みＷＬＡＮが含まれるＭｅａｓｕｒｅｍｅｎｔ  Ｏｂｊｅｃｔのうち少なくとも１つをＷＬＡＮ関連識別子としてＷＬＡＮ通知（ＷＬＡＮ測定報告）に含めてもよい。或いは、ＵＥ１００は、測定したＷＬＡＮの識別子、測定したＷＬＡＮが含まれるモビリティセットの識別子、測定したＷＬＡＮが含まれるＭｅａｓｕｒｅｍｅｎｔ  Ｏｂｊｅｃｔのうち少なくとも１つに、接続状態を示す情報を関連付けてもよい。接続状態を示す情報は、「接続済み（ｔｒａｆｆｉｃＳｔｅｅｒｅｄ）」、「未接続」、「接続不可」、「切断不可」のうち少なくとも１つを含んでもよい。接続状態を示す情報は、原因を示す情報（ｃａｕｓｅ  ｖａｌｕｅ）として規定されてもよい。
【０２５９】
ステップＳ４０３において、ｅＮＢ２００は、ＵＥ１００から受信したＷＬＡＮ通知に基づいて、ＵＥ１００に対するＲＣＬＷＩ制御又はＬＷＡ制御を行う。ｅＮＢ２００は、データ関連情報に基づいて、オフロード可能なトラフィックをＵＥ１００が有すると判断し、ＲＣＬＷＩ又はＬＷＡをＵＥ１００に適用すると判断してもよい。ｅＮＢ２００は、データ関連情報に基づいて、オフロードするトラフィック（所定単位）を決定してもよい。ｅＮＢ２００は、ＷＬＡＮ関連識別子に基づいて、ＵＥ１００に設定するＷＬＡＮ測定設定（モビリティセットを含む）の内容を変更等してもよい。
【０２６０】
例えば、ｅＮＢ２００は、ＷＬＡＮ通知に基づいて第１の処理乃至第３の処理のうち少なくとも１つを行う。
【０２６１】
第１の処理として、ｅＮＢ２００は、ＵＥ１００に設定するモビリティセットの決定又は変更を行う。例えば、ｅＮＢ２００は、接続済みＷＬＡＮの識別子を、ＵＥ１００に設定するモビリティセットに追加してもよい。ｅＮＢ２００は、接続済みＷＬＡＮと透過的なモビリティが許可されないＷＬＡＮ（すなわち、ＷＬＡＮ接続先変更時にｅＮＢ２００からの制御が必要なＷＬＡＮ）を、ＵＥ１００に設定するモビリティセットから除外してもよい。
【０２６２】
第２の処理として、ｅＮＢ２００は、切り替え指示をＵＥ１００に送信するか否か（又は送信できるか否か）を判断する。ＬＷＡ用の切り替え指示をＵＥ１００に送信する場合、ｅＮＢ２００は、通知されたＷＬＡＮ（すなわち、接続済みＷＬＡＮ）を収容するＷＴをＬＷＡに用いると判断してもよい。
【０２６３】
第３の処理として、ｅＮＢ２００は、ＷＬＡＮ測定設定の変更又は適用停止を行う。例えば、ｅＮＢ２００は、ＷＬＡＮ測定設定、ＲＣＬＷＩ設定、ＬＷＡ設定のうち少なくとも１つを解除（ｄｅ−ｃｏｎｆｉｇｕｒｅ）してもよい。ｅＮＢ２００は、ＷＬＡＮ測定設定、ＲＣＬＷＩ設定、ＬＷＡ設定のうち少なくとも１つを適用停止（サスペンド）又は適用再開（レジューム）してもよい。
【０２６４】
［その他の実施形態］
上述した実施形態において、ＷＷＡＮシステムとしてＬＴＥシステムを例示した。しかしながら、本発明はＬＴＥシステムに限定されない。ＬＴＥシステム以外のＷＷＡＮシステムに本発明を適用してもよい。
【０２６５】
[付記１]
１．１．１  Ｒｅｌ−１２  ＵＥベースのＷＬＡＮインターワーキングとの共存。
【０２６６】
Ｒｅｌ−１２において研究されるソリューション３はネットワークベースのソリューションである。一方、Ｒｅｌ−１２インターワーキングはＵＥベースのソリューションである。我々は、どのエンティティ／機能／ルール／ポリシーがトラフィックステアリングを決定すべきかの優先順序を研究する必要がある。
【０２６７】
ベースラインとして、ＡＮＤＳＦポリシーはＲＡＮルールよりも高い優先度を有する。ＵＥにおけるＡＳレイヤは、ＲＡＮルールの結果を上位レイヤに転送するだけである。そして上位レイヤは、どのようにトラフィックをＷＬＡＮに／からステアリングすべきかを決定する。
【０２６８】
互換性の見地から、この方法が保持されるべきである。Ｒｅｌ−１３インターワーキングは、ＵＥ  ＡＳレイヤが結果を上位レイヤにどのように転送するかを更新するだけであるべきである。
【０２６９】
ＲＡＮ２は、ＵＥ  ＡＳレイヤがＲＡＮ関係情報を上位レイヤにどのように転送するかを更新するだけであるべきである。
【０２７０】
Ｒｅｌ−１２インターワーキングでは、専用（ｄｅｄｉｃａｔｅｄ）パラメータは、ブロードキャストされるパラメータよりもＵＥによって高い優先度で扱われる。同じ理由により、この優先順序がＲｅｌ−１３インターワーキング拡張において再利用されるべきである。ソリューション３はＲＲＣコネクティッド（ＣＯＮＮＥＣＴＥＤ）モードにおいてＵＥに適用可能であり、ステアリングコマンドはＲＲＣメッセージを介して提供され得るので、Ｒｅｌ−１３インターワーキングにおけるステアリングコマンドは、ＲＡＮルールの結果よりも高い優先度として扱われるべきである。ステアリングコマンドと専用ＲＡＮ支援パラメータの両方は、専用ＲＲＣメッセージを介して同じｅＮＢによって提供されるので、ステアリングコマンドは、専用ＲＡＮ支援パラメータを用いたＲＡＮルールの結果と決して競合しない。
【０２７１】
Ｒｅｌ−１３インターワーキング拡張におけるステアリングコマンドは、ＲＡＮルールの結果よりも高い優先度として扱われるべきである。
【０２７２】
既存の方式
ＲＲＣ仕様の5.6.12.2  Dedicated WLAN offload configurationの記述：
The UE shall:
1>       if the received wlan-OffloadDedicated is set to release:
2> release wlan-OffloadDedicated and inform upper layers about the release;
2>     if the wlan-OffloadConfigCommon corresponding to the RPLMN is broadcast by the cell:
3>   apply the wlan-OffloadConfigCommon corresponding to the RPLMN included in SystemInformationBlockType17;
3>   forward the wlan-OffloadConfigCommon corresponding to the RPLMN to upper layer;
1>       else:
2>     if the received wlan-OffloadDedicated includes thresholdRSRP:
3>   apply the received thresholdRSRP;
3>   forward the received thresholdRSRP to upper layers;
アイドルモード仕様の記述
The upper layers in the UE shall be notified (see TS 24.302 [28]) when and for which WLAN(s), that matches all the provided identifiers (in subclause 5.6.3) for a specific entry in the list, the following conditions 1 and 2 for steering traffic from E-UTRAN to WLAN are satisfied for a time interval TsteeringWLAN:
1. In the E-UTRAN serving cell:
RSRPmeas < ThreshServingOffloadWLAN, LowP; or
RSRQmeas < ThreshServingOffloadWLAN, LowQ; 
2. In the target WLAN:
ChannelUtilizationWLAN < ThreshChUtilWLAN, Low; and
BackhaulRateDlWLAN > ThreshBackhRateDLWLAN, High; and
BackhaulRateUlWLAN > ThreshBackhRateULWLAN, High; and
BeaconRSSI > ThreshBeaconRSSIWLAN, High; 
【０２７３】
上記に示されたＲＲＣの現在の仕様のように、ＡＳレイヤは上位レイヤに情報を転送する。この方式が保持されるべきである。この観点から、ＵＥは、ＵＥがｅＮＢからステアリングコマンドを受信したときに専用パラメータを保持し、Ｒｅｌ−１２の同じ方式のようにパラメータを上位レイヤに転送すべきである。
【０２７４】
ＵＥは、ＵＥがｅＮＢからステアリングコマンドを受信したとき、専用パラメータを保持すべきである。
【０２７５】
ステアリングコマンドがＲＲＣメッセージを介してｅＮＢによって提供されることを考慮すると、上位レイヤにステアリングコマンドを通知するためにＲＲＣ機構が更新されるべきである。
【０２７６】
例えば、
wlan-SteeringCommand ::=         SEQUENCE {
WLAN-Id-r13             WLAN-Id-List-r12,
steeringState           ENUMERATED {toLTE,toWLAN,null}
}
【０２７７】
ｓｔｅｅｒｉｎｇＳｔａｔｅがｔｏＬＴＥ又はｔｏＷＬＡＮのいずれかである間の現在の挙動を回避するために、アイドルモード手順が修正されるべきである。
【０２７８】
［付記２］
１．序論
Ｒｅｌ−１３では、ＬＴＥ−ＷＬＡＮインターワーキングへの拡張は、ネットワーク制御されるＷＬＡＮオフローディングによって全体的なユーザスループットを改善することを目的とする。このＷＩＤのガイドラインのうちの１つは、他の３ＧＰＰ／ＷＬＡＮインターワーキングソリューションと共存するソリューションを開発することである。さらに、ＳＡ２はまた、上位レイヤにおける共存問題を伴う問題を解決する、「ＬＴＥ−ＷＬＡＮ無線レベル統合及びインターワーキング拡張と他のＷＬＡＮオフローディングソリューション（例えばＡＮＤＳＦ）との間の共存」のための合意されたソリューションをＲＡＮ２に通知した。
【０２７９】
この付記では、ＵＥのＡＳレイヤの観点から、既存のソリューションとの共存を伴う問題を議論する。
【０２８０】
２．議論
ＵＥがＷＬＡＮインターワーキングをサポートするためには、Ｒｅｌ−１２  ＲＡＮ支援ＬＴＥ−ＷＬＡＮインターワーキング（ＲＡＬＷＩ）と、Ｒｅｌ−１３  ＲＡＮ制御されるＬＴＥ−ＷＬＡＮインターワーキング（ＲＣＬＷＩ）の両方をサポートすることが必要とされ得ると仮定する。我々の理解に基づけば、新しい機構（ＲＣＬＷＩ）は、Ｒｅｌ−１２研究の結果、すなわち、「ＩＤＬＥモードならびにＣＥＬＬ＿ＦＡＣＨ、ＣＥＬＬ＿ＰＣＨ及びＵＲＡ＿ＰＣＨ状態におけるＵＥのために、本ソリューションはソリューション１又は２に同様である」を記載するソリューション３に基づく。したがって、Ｒｅｌ−１３ソリューションは、Ｒｅｌ−１２におけるＲＡＬＷＩのためにすでに指定された機構を再利用又は拡張し得る。特に、Ｒｅｌ−１２からの既存のＳＩＢ１７は、ＡＮＤＳＦをサポートするために、及びＩＤＬＥ  ＵＥにおけるトラフィックステアリングのために必要であるので、ＡＳレイヤにおけるＲｅｌ−１３でのＳＩＢ１７についてのＵＥの扱いをさらに議論すべきである。
【０２８１】
提案１：ＲＡＮ２は、Ｒｅｌ−１２におけるＡＮＤＳＦ及びＩＤＬＥ  ＵＥをサポートするために必要とされるＳＩＢ１７の存在下でＲｅｌ−１３におけるＵＥのＡＳレイヤ挙動を議論すべきである。
【０２８２】
２．１．コネクティッドモードＵＥの挙動
Ｒｅｌ−１２では、ＲＡＬＷＩは、ＮＷによって支援されるＵＥベースの機構を採用した。一方、Ｒｅｌ−１３  ＲＣＬＷＩは、フルＮＷ制御されるトラフィックステアリングをサポートするであろう。したがって、ＳＩＢ１７が、提案１において示唆されるようにブロードキャストされた場合、サービングセルがＲＣＬＷＩ（すなわち、ステアリングコマンド）を用いてＵＥを制御することを意図するときでも、ＵＥは、ＲＡＮルール（ＲＡＬＷＩ）に従ってトラフィックステアリングを恣意的に実施し得る。例えば、ＵＥのＡＳレイヤ挙動が十分に定義されていない場合、サービングセルは、ＵＥがＬＴＥ上でそれのトラフィックを保持することを希望したが、ＵＥは、トラフィックをＷＬＡＮに移動することをすでに決定しているかもしれない状況があり得る。それは、サービングセルの観点からは、もはやフル制御可能でない。したがって、ＲＡＬＷＩとＲＣＬＷＩとの使用は、それらが同じ機構（すなわち、ＳＩＢ１７の存在）を共有する場合でも、独立して制御され得ることが好ましい。
【０２８３】
考察１：Ｒｅｌ−１３のためのＵＥのＡＳレイヤ挙動が適切に指定されない場合、トラフィックステアリングについて、サービングセルの意図とＵＥの挙動との間に不整合があり得る。
【０２８４】
考察１に述べられた問題は、トピックのうちの１つであり、ステアリングコマンドは、既存のＲＡＮ支援パラメータの無限しきい値で定義されるべきか、新しいメッセージとして、すなわち、「Ｐｒｏｐｏｓａｌ  １」又は「Ｐｒｏｐｏｓａｌ  ２」として定義されるべきかが議論された。どちらの手法も、必要とされるステアリングコマンドをサポートするために機能し得るが、ＵＥの過大な複雑さなしにＲＡＬＷＩ及びＲＣＬＷＩをはっきり選択するために、それらの適用可能性についてさらに考察する価値があり得る。無限しきい値、すなわち、「Ｐｒｏｐｏｓａｌ  １」を使用する場合、サービングセルは、しきい値が無限値で構成されるとすぐにＲＣＬＷＩをアクティブにし得、これは、既存のＲＡＬＷＩを停止するのに役立つであろう。しかしながら、無限しきい値手法が採用された場合でも、ＲＡＬＷＩは、図２０に示されているように、ＵＥがステアリングコマンドを受信するとき（ＵＥが、無限しきい値をもつ構成を受信するとき）まで依然として実施され得る。
【０２８５】
考察２：ＵＥベースのトラフィックステアリング（ＲＡＬＷＩ）は、それが無限しきい値を受信するまで、例えば、ＳＩＢ１７が無限しきい値で更新されるまで続き得る。
【０２８６】
提案２：ＲＡＮ２は、ＮＷベースの機構の一部としてＳＩＢ１７の存在により起こる潜在的な制御不能性状態を解決することが必要であるかどうかを議論すべきである。
【０２８７】
提案２が合意できる場合、以下のように４つの代替案が検討され得る。
【０２８８】
・代替案１：プリステアリングコマンドがＲＡＬＷＩを停止する
特に無限しきい値手法を用いた場合、サービングセルは、トラフィックが実際にステアリングされた場所に関係なく、サービングセルがＲＣＬＷＩを使用することを意図するときにステアリングコマンドを送ることが可能であり得る。
【０２８９】
・代替案２：ＳＩＢが、ＲＡＬＷＩを停止することを指示する
ＳＩＢは、ＲＡＬＷＩが許容できるかどうかを示すために使用され得る。Ｒｅｌ−１３  ＵＥは、ＳＩＢ１７又は専用ＲＡＮ支援パラメータが提供された場合でも、ＲＡＬＷＩが禁止されたときはいつでも常にＲＡＬＷＩよりもＲＣＬＷＩを優先させるべきである。
【０２９０】
・代替案３：ＷＬＡＮ測定対象がＲＡＬＷＩを停止する
サービングセルが、少なくとも１つのＷＬＡＮ測定対象でＵＥを構成した場合、ＵＥは、サービングセルがＲＣＬＷＩを使用することを意図すると仮定することになる。したがって、ＵＥは、ＷＬＡＮ測定対象が構成されたときはいつでも、ＲＡＬＷＩを実施することを停止すべきである。
【０２９１】
・代替案４：ＣＯＮＮＥＣＴＥＤにおけるＵＥがＲＡＬＷＩを停止する
ＵＥはＣＯＮＮＥＣＴＥＤに遷移すると、ＵＥは、ブロードキャストされるＲＡＮ支援パラメータでＲＡＬＷＩに従わない。言い換えれば、ＣＯＮＮＥＣＴＥＤにおけるＲｅｌ−１３  ＵＥは、常にＳＩＢ１７を無視する。
【０２９２】
すべての代替案は単純な拡張でサポートされ得るが、代替案１又は代替案３は、ＵＥごとの制御可能性の観点から有益であり得、一方、代替案２又は代替案４は、ＮＷの複雑さを回避することによって有益であり得る。代替案１と代替案３との間では、代替案１は、正しく機能するために追加の拡張をそれ自体で必要とし得るが、代替案３におけるＲＣＬＷＩで必要とされる測定構成は、ＲＡＬＷＩプロセスを暗黙的に停止する。及び代替案２と代替案４との間では、代替案２は明示的指示を必要とするが、ＲＡＬＷＩとＲＣＬＷＩとを仮定する代替案４は、ＣＯＮＮＥＣＴＥＤにおけるＵＥについて共存せず、どんな指示をも必要としない。シグナリングオーバーヘッドとＮＷの複雑さとの観点から、暗黙的機構のうちの１つが好ましい。ＬＴＥ−ＷＬＡＮアグリゲーション（ＬＷＡ）はＣＯＮＮＥＣＴＥＤにおけるＵＥの下でも実施され、ＵＥは、ＷＬＡＮによって提供されるリソースを追加／修正／解放するためにＷＬＡＮ測定で構成されることを考慮すると、ＮＷベースの機構では代替案３又は代替案４のみが考慮されるべきである。
【０２９３】
提案３：ＲＡＮ２は、ＵＥがＷＬＡＮ測定対象で又はＣＯＮＮＥＣＴＥＤにおいて構成されたときにＵＥベースのトラフィックステアリング（ＲＡＬＷＩ）が許容されるべきかどうかを、及びＮＷベースのソリューション（ＲＣＬＷＩ）のために代替案３が採用されるべきか代替案４が採用されるべきかを決定すべきである。
【０２９４】
上記の要件が明瞭化されたと仮定すると、サービングセルは、ステアリングされるトラフィックの初期条件が、サービングセルがＲＣＬＷＩ又はＬＷＡのいずれかを実施することを意図するときであるべきであることを知るべきであるかどうかを議論することも必要である。例えば、サービングセルはＬＷＡ構成でＵＥを構成するが、ＵＥのトラフィックのいくつかのタイプはすでにＷＬＡＮにステアリングされているとき、ユーザスループットの改善が制限されることがあるか、又は構成においていくつかの誤りが起こり得る。最も単純／最も安全な方法のうちの１つは、ＵＥがＷＬＡＮ測定対象で構成されたときにＵＥがすべてのトラフィックをＬＴＥに移動することであり得るが、それは、ステアリングコマンドによるＬＴＥにおける過負荷又はピンポンなど、いくつかの悪影響を引き起こし得る。別の可能性は、ＵＥが、ＷＬＡＮモデムステータス報告内の原因値、オフロード可能なトラフィックの利用可能性などの様々な可能性を含み得る、ＵＥのトラフィックステータスをサービングセルに通知することであり得る。さらに、ＵＥが、ＲＣＬＷＩ又はＬＷＡのためのＷＬＡＮモデムについて自由を有しないとき、例えば、ＵＥが、ユーザ選好されたＷＬＡＮにすでに接続されている場合、ＵＥは、どんなＷＬＡＮ測定報告をも送ることを要求されるべきでないことが好ましい。その意味で、サービングセルは、測定構成に先立ってＵＥのトラフィック状態を知り得る。
【０２９５】
提案４：ＲＡＮ２は、サービングセルが、ＵＥのトラフィックのいずれかが事業者ＷＬＡＮ上ですでにアクティブであるかどうかに気づいているべきであるかどうかを議論すべきである。
【０２９６】
提案５：ＲＡＮ２は、ＷＬＡＮ測定対象が構成されるとき／前にトラフィックの初期条件が与えられるべきであるかどうかを議論すべきである。
【０２９７】
提案４が望ましい場合、ＲＡＮ２はまた、ＷＬＡＮ測定構成の前又は後に、ＷＬＡＮ上の既存のトラフィックに関する情報がサービングセルに提供されるべきであるかどうかを検討すべきである。
【０２９８】
提案６：ＲＡＮ２はまた、ＷＬＡＮ測定構成の前又は後に、ＷＬＡＮ上の既存のトラフィックに関する情報がサービングセルに提供される必要があるかどうかを決定すべきである。
【０２９９】
２．２．ＩＤＬＥモードＵＥの挙動
ＩＤＬＥにおけるＵＥ挙動は議論されており、それは、すでに提案された４つのソリューション、すなわち、「提案Ａ〜Ｄ」及び「Ｅ」の優れた概要及び評価を提供する。主要な議論のうちの１つは、Ｒｅｌ−１３  ＵＥがＩＤＬＥ、すなわち、「提案Ａ／Ｂ」又は「Ｃ／Ｄ」に遷移した後にＴ３５０をサポートすべきか否かであった。タイマがサポートされない場合、それは頻繁なピンポンをも引き起こし得、それによって、例えば、ＰＤＮ接続の頻繁な転送のせいで、ＵＥバッテリー消費量に悪影響が生じる。例えば、ｅＮＢの近くに位置するＵＥの場合、サービングセルがすべてのＵＥのトラフィックをＷＬＡＮにステアリングすることに関心がないと仮定すると、ＵＥのトラフィックは、より強いＲＳＲＰにより、おそらくＲｅｌ−１２  ＲＡＬＷＩの下のＬＴＥにあるままになる。しかしながら、Ｒｅｌ−１３では、ステアリングコマンドは、図２２に示されているように、他の非ターゲットＵＥに影響を及ぼさずに特定のＵＥのほうへ容易に直接向かい得るので、そのようなＵＥのためのトラフィックはステアリングコマンドでＷＬＡＮにステアリングされ得る。提案１が合意できる場合、ＵＥがＩＤＬＥにおいてＲＡＮルール（ＲＡＬＷＩ）に従うと仮定すると、ＵＥがＩＤＬＥに遷移し、ＷＬＡＮに接続されたままであるとき、ＵＥはそれのトラフィックをＬＴＥに直ちに移動し得る。したがって、そのようなピンポンを回避するためにタイマが使用されるべきである。さらに、ＲＲＣ接続解放時にＴ３５０開始を再利用すべきかどうか又はステアリングコマンドの受信時に新しいタイマの開始を導入すべきかどうかが議論されるべきである。
【０３００】
提案７：ＵＥがアイドルモードに遷移した後のステアリングコマンドのための有効性タイマ、例えば、Ｔ３５０が導入されるべきである。
【０３０１】
提案７が合意できる場合、別の問題は、タイマが満了した後にＵＥがどのように挙動すべきであるかということである。以下の４つのオプションが潜在的候補である。
【０３０２】
・オプション１：タイマ満了の後に、ＵＥは、ＳＩＢ１７とともにＲＡＬＷＩに従う。（「提案Ａ」及び部分的に「提案Ｅ」）
・オプション２：タイマ満了時に、アクティブトラフィックが存在する場合、ＵＥはそれのトラフィックをＬＴＥに移動する。（「提案Ｂ」）
・オプション３：ＷＬＡＮ接続失敗が宣言されない限り、ＵＥはそれのトラフィックをＷＬＡＮに保持する。（「提案Ｃ」及び部分的に「提案Ｅ」）
・オプション４：ＷＬＡＮ測定イベントがトリガされない限り、ＵＥはそれのトラフィックをＷＬＡＮに保持する。（「提案Ｄ」）
【０３０３】
オプション１は、それが既存の機構のみを再利用するので、すなわち、標準化作業が見込まれないので、ベースラインであり得る。
【０３０４】
オプション２は、ＮＷの観点からデフォルト条件を与えるためにより単純な方法を提供し、すなわち、ＩＤＬＥモードにおけるトラフィックは常にＬＴＥにとどまるので、それは予測可能である。しかしながら、どのようにＵＥが、（Ｒｅｌ−１２  ＲＡＬＷＩとして）ＳＩＢ１７に従うべきか又は（Ｒｅｌ−１３における新しい挙動として）ＳＩＢ１７にかかわらずトラフィックをＬＴＥに戻すべきかを決定するのかは、不明瞭である。
【０３０５】
オプション３については、ＩＤＬＥへの遷移に先立って受信されるステアリングコマンドは、ＵＥがＷＬＡＮへの接続を維持し得る限り永遠に有効であることが予想される、と解釈され得、ここにおいて、基準は、ＷＬＡＮステータス報告が、「ＷＬＡＮのほうへの『ＷＬＡＮ接続失敗』を決定するための厳密な基準は指定されない」ことが合意されるものとして再使用される基準である。したがって、このオプションは、実際にはＵＥ実装に委ねられる。また、オプション２と同じように、ＩＤＬＥ  ＵＥがどの挙動に従うべきか、Ｒｅｌ−１２  ＲＡＬＷＩ機構か又はＲｅｌ−１３機構かが不明瞭である。
【０３０６】
オプション４は、ＣＯＮＮＥＣＴＥＤにおけるのと同じ挙動を潜在的に提供し得る。しかしながら、目下、イベントはＷＬＡＮ測定報告をトリガするだけである、すなわち、ＵＥがそれのトラフィックをどのリンクに移動するかはＮＷ実装次第であるので、ＵＥがイベントトリガ情報から何を行うべきかを知り得るかどうかが非常に明瞭ではない。また、オプション２及び３と同様に、ＩＤＬＥ  ＵＥがどの挙動に従うべきか、Ｒｅｌ−１２  ＲＡＬＷＩ機構か又はＲｅｌ−１３機構かが不明瞭である。
【０３０７】
オプション１が我々の選好であるが、Ｒｅｌ−１３インターワーキング拡張は、より良好なＮＷ制御可能性を提供することが予想されることを考慮すると、少なくとも、ＵＥがＳＩＢ１７で、例えば、サービングセルからの指示でＲＡＬＷＩに従うべきかどうかをサービングセルが決定することを可能にすることが必要であり得る。代替的に、オプション２〜４において述べたＩＤＬＥ  ＵＥのための新しい機構は、ネットワークの観点からより決定論的なＵＥ挙動を提供し、おそらくＲｅｌ−１３のためにより好適であると考えられる。
【０３０８】
提案８：ＲＡＮ２は、ＩＤＬＥ  ＵＥのために何らかの新しい挙動を採用することが必要であるかどうか、あるいはＩＤＬＥ  ＵＥが既存のＲＡＮルールに、すなわち、Ｒｅｌ−１２におけるのと同じ挙動に従うことで十分であるかどうかを決定すべきである。
【０３０９】
［相互参照］
本願は米国仮出願６２／１９８９０７号（２０１５年７月３０日出願）、米国仮出願６２／２０３６６２号（２０１５年８月１１日出願）、及び米国仮出願６２／２９１６５９号（２０１６年２月５日出願）の優先権を主張し、これらの内容の全てが本願明細書に組み込まれている。
【産業上の利用可能性】
【０３１０】
本願発明は通信分野において有用である。
【図１】
2017018537.tif 000004
【図２】
2017018537.tif 000005
【図３】
2017018537.tif 000006
【図４】
2017018537.tif 000007
【図５】
2017018537.tif 000008
【図６】
2017018537.tif 000009
【図７】
2017018537.tif 000010
【図８】
2017018537.tif 000011
【図９】
2017018537.tif 000012
【図１０】
2017018537.tif 000013
【図１１】
2017018537.tif 000014
【図１２】
2017018537.tif 000015
【図１３】
2017018537.tif 000016
【図１４】
2017018537.tif 000017
【図１５】
2017018537.tif 000018
【図１６】
2017018537.tif 000019
【図１７】
2017018537.tif 000020
【図１８】
2017018537.tif 000021
【図１９】
2017018537.tif 000022
【図２０】
2017018537.tif 000023
【図２１】
2017018537.tif 000024
【図２２】
2017018537.tif 000025
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
無線広域ネットワーク（ＷＷＡＮ）から設定される情報に基づいて、前記ＷＷＡＮと無線狭域ネットワーク（ＷＬＡＮ）との間でデータを切り替える機能を有する制御部を備え、
前記制御部は、所定の条件が満たされたことに応じて、ＷＬＡＮ測定結果と自無線端末が接続済みのＷＬＡＮを示すＷＬＡＮ関連識別子とを含むＷＬＡＮ測定報告を前記ＷＷＡＮに送信し、
前記所定の条件は、前記ＷＷＡＮから自無線端末にＷＬＡＮ測定が設定されているという条件を含む無線端末。
【請求項２】
前記ＷＬＡＮとの通信を行うためのＷＬＡＮ通信部を備え、
前記制御部は、前記ＷＬＡＮ通信部が前記機能を使用不能な状態である場合、前記ＷＬＡＮ測定報告を前記ＷＷＡＮに送信しない制御を行う請求項１に記載の無線端末。
【請求項３】
無線広域ネットワーク（ＷＷＡＮ）から設定される情報に基づいて、前記ＷＷＡＮと無線狭域ネットワーク（ＷＬＡＮ）との間でデータを切り替える機能を有し、無線端末を制御するプロセッサであって、
所定の条件が満たされたことに応じて、ＷＬＡＮ測定結果と自無線端末が接続済みのＷＬＡＮを示すＷＬＡＮ関連識別子とを含むＷＬＡＮ測定報告を前記ＷＷＡＮに送信し、
前記所定の条件は、前記ＷＷＡＮから自無線端末にＷＬＡＮ測定が設定されているという条件を含むプロセッサ。
【請求項４】
無線広域ネットワーク（ＷＷＡＮ）から設定される情報に基づいて、前記ＷＷＡＮと無線狭域ネットワーク（ＷＬＡＮ）との間でデータを切り替える機能を有する無線端末における方法であって、
所定の条件が満たされたことに応じて、ＷＬＡＮ測定結果と自無線端末が接続済みのＷＬＡＮを示すＷＬＡＮ関連識別子とを含むＷＬＡＮ測定報告を前記ＷＷＡＮに送信し、
前記所定の条件は、前記ＷＷＡＮから自無線端末にＷＬＡＮ測定が設定されているという条件を含む方法。
【国際調査報告】
2017018537.tif 000026
2017018537.tif 000027
2017018537.tif 000028
2017018537.tif 000029
2017018537.tif 000030
2017018537.tif 000031
2017018537.tif 000032
2017018537.tif 000033
2017018537.tif 000034
2017018537.tif 000035
2017018537.tif 000036
2017018537.tif 000037